(57)【要約】      （修正有）【課題】ランダムアクセス応答に関する情報の伝送におけるリソース利用効率を向上する。【解決手段】ユーザ機器ＵＥによって送信されたランダムアクセスプリアンブルを受信する段階と、受信したランダムアクセスプリアンブルにしたがって第１の情報を生成する段階とを備える。第１の情報は、ランダムアクセス応答に関する情報であり、第１の情報は、タイミングアドバンス指示情報、制御チャネルの伝送に使用される狭帯域リソースの指示情報、制御チャネルの伝送に使用されるサブフレームの指示情報、制御チャネルの伝送に使用される復調基準信号スクランブリングシーケンス初期化パラメータの指示情報、制御チャネルの伝送に使用されるカバレッジ拡張レベルの指示情報、または、第１の情報に対する応答に関する情報である第２の情報の伝送に使用されるリソース割り当て情報のうちの少なくとも１つを含む。さらに、第１の情報をＵＥに送信する段階を備える。【選択図】図２
2020036343.tif 000002
【特許請求の範囲】
【請求項１】
情報伝送方法であって、
ユーザ機器ＵＥによって送信されたランダムアクセスプリアンブルを受信する段階と、
前記受信されたランダムアクセスプリアンブルにしたがって、第１の情報を生成する段階であって、前記第１の情報は、前記ランダムアクセスプリアンブルに対するランダムアクセス応答に関する情報であり、前記第１の情報は、タイミングアドバンス指示情報、制御チャネルの伝送に使用される狭帯域リソースの指示情報、前記制御チャネルの伝送に使用されるサブフレームの指示情報、前記制御チャネルの伝送に使用される復調基準信号スクランブリングシーケンス初期化パラメータの指示情報、前記制御チャネルの伝送に使用されるカバレッジ拡張レベルの指示情報、または、前記第１の情報に対する応答に関する情報である第２の情報の伝送に使用されるリソース割り当て情報のうちの少なくとも１つを含む、段階と、
前記第１の情報を前記ＵＥに送信する段階と
を備える方法。
【請求項２】
前記第１の情報はさらに、一時セル無線ネットワーク一時識別子の指示情報、前記ランダムアクセスプリアンブルの指示情報、ロールバック指示情報、または前記制御チャネルの制御チャネル候補セットの指示情報のうちの少なくとも１つを含む、請求項１に記載の方法。
【請求項３】
前記第１の情報はさらに、前記第２の情報の周波数ホッピング指示情報、前記第２の情報のカバレッジ拡張伝送指示情報、物理アップリンク制御チャネルリソースの開始オフセット指示情報、または、前記制御チャネルの周波数ホッピング指示情報のうちの少なくとも１つを含む、請求項１または２に記載の方法。
【請求項４】
前記第１の情報はさらに、前記第２の情報を送信するために前記ＵＥによって使用される送信電力制御指示情報、前記第２の情報を送信するために前記ＵＥによって使用される変調および符号化方法指示情報、前記第２の情報を送信するために前記ＵＥによって使用されるアップリンク遅延指示情報、前記ＵＥがチャネル状態情報をレポートするか否かを示す指示情報、ＵＥ固有メッセージの伝送のための開始シンボル指示情報、前記制御チャネルの制御チャネル構成セット識別子指示情報、または、前記制御チャネルの伝送に使用される伝送タイプの指示情報のうちの少なくとも１つを含む、請求項１から３のいずれか一項に記載の方法。
【請求項５】
前記第１の情報はさらに、前記ダウンリンク制御チャネルのフォーマット指示情報、または前記ダウンリンクデータチャネルのフォーマット指示情報を含む、請求項１から４のいずれか一項に記載の方法。
【請求項６】
前記第１の情報を前記ＵＥに送信する前記段階は、
前記第１の情報を前記ダウンリンク制御チャネルに追加し、前記ダウンリンク制御チャネルを使用することによって前記第１の情報を前記ＵＥに送信する段階、または、
前記第１の情報を前記ダウンリンクデータチャネルに追加し、前記ダウンリンクデータチャネルを使用することによって前記第１の情報を前記ＵＥに送信する段階
を有する、請求項５に記載の方法。
【請求項７】
前記第１の情報を前記ＵＥに送信する前記段階の前に、
前記無線ネットワーク一時識別子にしたがって前記第１の情報をスクランブルする段階であって、前記無線ネットワーク一時識別子は、前記ランダムアクセスプリアンブルにしたがって決定される、段階
をさらに備える、請求項１から６のいずれか一項に記載の方法。
【請求項８】
前記第１の情報を前記ＵＥに送信する前記段階の後に、
前記無線ネットワーク一時識別子にしたがって、前記第２の情報、前記制御チャネル、または前記ＵＥ固有情報のうちの少なくとも１つをスクランブルまたはデスクランブルする段階であって、前記無線ネットワーク一時識別子は、前記ランダムアクセスプリアンブルにしたがって決定される、段階
をさらに備える、請求項１から６のいずれか一項に記載の方法。
【請求項９】
情報伝送方法であって、
ランダムアクセスプリアンブルを基地局に送信する段階と、
前記ランダムアクセスプリアンブルに対応する第１の情報を受信する段階であって、前記第１の情報は、前記ランダムアクセスプリアンブルに対する、前記基地局のランダムアクセス応答に関する情報である、段階と、
前記第１の情報から、タイミングアドバンス指示情報、制御チャネルの伝送に使用される狭帯域リソースの指示情報、前記制御チャネルの伝送に使用されるサブフレームの指示情報、前記制御チャネルの伝送に使用される復調基準信号スクランブリングシーケンス初期化パラメータの指示情報、前記制御チャネルの伝送に使用されるカバレッジ拡張レベルの指示情報、または、前記第１の情報に対する応答に関する情報である第２の情報の伝送に使用されるリソース割り当て情報のうちの少なくとも１つを取得する段階と、
を備える方法。
【請求項１０】
前記第１の情報はさらに、一時セル無線ネットワーク一時識別子の指示情報、前記ランダムアクセスプリアンブルの指示情報、ロールバック指示情報、または、前記制御チャネルの制御チャネル候補セットの指示情報のうちの少なくとも１つを含む、請求項９に記載の方法。
【請求項１１】
前記第１の情報はさらに、前記第２の情報の周波数ホッピング指示情報、前記第２の情報のカバレッジ拡張伝送指示情報、物理アップリンク制御チャネルリソースの開始オフセット指示情報、または、前記制御チャネルの周波数ホッピング指示情報のうちの少なくとも１つを含む、請求項９または１０に記載の方法。
【請求項１２】
前記第１の情報はさらに、前記第２の情報を送信するために前記ＵＥによって使用される送信電力制御指示情報、前記第２の情報を送信するために前記ＵＥによって使用される変調および符号化方法指示情報、前記第２の情報を送信するために前記ＵＥによって使用されるアップリンク遅延指示情報、前記ＵＥがチャネル状態情報をレポートするか否かを示す指示情報、ＵＥ固有メッセージの伝送のための開始シンボル指示情報、前記制御チャネルの制御チャネル構成セット識別子指示情報、または、前記制御チャネルの伝送に使用される伝送タイプの指示情報のうちの少なくとも１つを含む、請求項９から１１のいずれか一項に記載の方法。
【請求項１３】
前記第１の情報はさらに、前記ダウンリンク制御チャネルのフォーマット指示情報、または前記ダウンリンクデータチャネルのフォーマット指示情報を含む、請求項９から１２のいずれか一項に記載の方法。
【請求項１４】
前記ランダムアクセスプリアンブルに対応する第１の情報を受信する前記段階は、
前記ダウンリンク制御チャネルを受信し、前記ダウンリンク制御チャネルから前記第１の情報を取得する段階、または、
前記ダウンリンクデータチャネルを受信し、前記ダウンリンクデータチャネルから前記第１の情報を取得する段階
を有する、請求項１３に記載の方法。
【請求項１５】
前記無線ネットワーク一時識別子にしたがって前記第１の情報をデスクランブルする段階であって、前記無線ネットワーク一時識別子は、前記ランダムアクセスプリアンブルにしたがって決定される、段階
をさらに備える、請求項９から１４のいずれか一項に記載の方法。
【請求項１６】
前記ランダムアクセスプリアンブルに対応する第１の情報を受信する前記段階の後に、
前記第２の情報を送信する段階、前記制御情報を受信する段階、または前記ＵＥ固有情報を受信する段階のうちの少なくとも１つを実行する段階と、
前記無線ネットワーク一時識別子にしたがって、前記第２の情報、前記制御チャネル、または前記ＵＥ固有情報のうちの少なくとも１つをスクランブルまたはデスクランブルする段階であって、前記無線ネットワーク一時識別子は、前記ランダムアクセスプリアンブルにしたがって決定される、段階と
をさらに備える、請求項９から１４のいずれか一項に記載の方法。
【請求項１７】
基地局であって、
ユーザ機器ＵＥによって送信されたランダムアクセスプリアンブルを受信するよう構成される受信モジュールと、
前記受信されたランダムアクセスプリアンブルにしたがって第１の情報を生成するよう構成される情報生成モジュールであって、前記第１の情報は、前記ランダムアクセスプリアンブルに対するランダムアクセス応答に関する情報であり、前記第１の情報は、タイミングアドバンス指示情報、制御チャネルの伝送に使用される狭帯域リソースの指示情報、前記制御チャネルの伝送に使用されるサブフレームの指示情報、前記制御チャネルの伝送に使用される復調基準信号スクランブリングシーケンス初期化パラメータの指示情報、前記制御チャネルの伝送に使用されるカバレッジ拡張レベルの指示情報、または、前記第１の情報に対する応答に関する情報である第２の情報の伝送に使用されるリソース割り当て情報のうちの少なくとも１つを含む、情報生成モジュールと、
前記第１の情報を前記ＵＥに送信するよう構成される送信モジュールと
を備える基地局。
【請求項１８】
前記第１の情報はさらに、一時セル無線ネットワーク一時識別子の指示情報、前記ランダムアクセスプリアンブルの指示情報、ロールバック指示情報、または前記制御チャネルの制御チャネル候補セットの指示情報のうちの少なくとも１つを含む、請求項１７に記載の基地局。
【請求項１９】
前記第１の情報はさらに、前記第２の情報の周波数ホッピング指示情報、前記第２の情報のカバレッジ拡張伝送指示情報、物理アップリンク制御チャネルリソースの開始オフセット指示情報、または、前記制御チャネルの周波数ホッピング指示情報のうちの少なくとも１つを含む、請求項１７または１８に記載の基地局。
【請求項２０】
前記第１の情報はさらに、前記第２の情報を送信するために前記ＵＥによって使用される送信電力制御指示情報、前記第２の情報を送信するために前記ＵＥによって使用される変調および符号化方法指示情報、前記第２の情報を送信するために前記ＵＥによって使用されるアップリンク遅延指示情報、前記ＵＥがチャネル状態情報をレポートするか否かを示す指示情報、ＵＥ固有メッセージの伝送のための開始シンボル指示情報、前記制御チャネルの制御チャネル構成セット識別子指示情報、または、前記制御チャネルの伝送に使用される伝送タイプの指示情報のうちの少なくとも１つを含む、請求項１７から１９のいずれか一項に記載の基地局。
【請求項２１】
前記第１の情報はさらに、前記ダウンリンク制御チャネルのフォーマット指示情報、または前記ダウンリンクデータチャネルのフォーマット指示情報を含む、請求項１７から２０のいずれか一項に記載の基地局。
【請求項２２】
前記送信モジュールは具体的に、前記第１の情報を前記ダウンリンク制御チャネルに追加し、前記ダウンリンク制御チャネルを使用することによって前記第１の情報を前記ＵＥに送信する、または、
前記第１の情報を前記ダウンリンクデータチャネルに追加し、前記ダウンリンクデータチャネルを使用することによって前記第１の情報を前記ＵＥに送信するよう構成される、請求項２１に記載の基地局。
【請求項２３】
前記基地局はさらに、前記送信モジュールが前記第１の情報を前記ＵＥに送信する前に、前記無線ネットワーク一時識別子にしたがって前記第１の情報をスクランブルするよう構成されるスクランブリングモジュールであって、前記無線ネットワーク一時識別子は前記ランダムアクセスプリアンブルにしたがって決定される、スクランブリングモジュールを備える、請求項１７から２２のいずれか一項に記載の基地局。
【請求項２４】
前記基地局はさらに、前記送信モジュールが前記第１の情報を前記ＵＥに送信した後に、前記無線ネットワーク一時識別子にしたがって、前記第２の情報、前記制御チャネル、または前記ＵＥ固有情報のうちの少なくとも１つをスクランブルまたはデスクランブルするよう構成されるスクランブリング／デスクランブリングモジュールであって、前記無線ネットワーク一時識別子は、前記ランダムアクセスプリアンブルにしたがって決定される、スクランブリング／デスクランブリングモジュールを備える、請求項１７から２２のいずれか一項に記載の基地局。
【請求項２５】
ユーザ機器ＵＥであって、
ランダムアクセスプリアンブルを基地局に送信するよう構成される送信モジュールと、
前記ランダムアクセスプリアンブルに対応する第１の情報を受信するよう構成される受信モジュールであって、前記第１の情報は、前記ランダムアクセスプリアンブルに対する、前記基地局のランダムアクセス応答に関する情報である、受信モジュールと、
前記第１の情報から、タイミングアドバンス指示情報、制御チャネルの伝送に使用される狭帯域リソースの指示情報、前記制御チャネルの伝送に使用されるサブフレームの指示情報、前記制御チャネルの伝送に使用される復調基準信号スクランブリングシーケンス初期化パラメータの指示情報、前記制御チャネルの伝送に使用されるカバレッジ拡張レベルの指示情報、または、前記第１の情報に対する応答に関する情報である第２の情報の伝送に使用されるリソース割り当て情報のうちの少なくとも１つを取得するよう構成される取得モジュールと
を備えるユーザ機器。
【請求項２６】
前記第１の情報はさらに、一時セル無線ネットワーク一時識別子の指示情報、前記ランダムアクセスプリアンブルの指示情報、ロールバック指示情報、または、前記制御チャネルの制御チャネル候補セットの指示情報のうちの少なくとも１つを含む、請求項２５に記載のユーザ機器。
【請求項２７】
前記第１の情報はさらに、前記第２の情報の周波数ホッピング指示情報、前記第２の情報のカバレッジ拡張伝送指示情報、物理アップリンク制御チャネルリソースの開始オフセット指示情報、または、前記制御チャネルの周波数ホッピング指示情報のうちの少なくとも１つを含む、請求項２５または２６に記載のユーザ機器。
【請求項２８】
前記第１の情報はさらに、前記第２の情報を送信するために前記ＵＥによって使用される送信電力制御指示情報、前記第２の情報を送信するために前記ＵＥによって使用される変調および符号化方法指示情報、前記第２の情報を送信するために前記ＵＥによって使用されるアップリンク遅延指示情報、前記ＵＥがチャネル状態情報をレポートするか否かを示す指示情報、ＵＥ固有メッセージの伝送のための開始シンボル指示情報、前記制御チャネルの制御チャネル構成セット識別子指示情報、または、前記制御チャネルの伝送に使用される伝送タイプの指示情報のうちの少なくとも１つを含む、請求項２５から２７のいずれか一項に記載のユーザ機器。
【請求項２９】
前記第１の情報はさらに、前記ダウンリンク制御チャネルのフォーマット指示情報、または前記ダウンリンクデータチャネルのフォーマット指示情報を含む、請求項２５から２８のいずれか一項に記載のユーザ機器。
【請求項３０】
前記受信モジュールは具体的に、前記ダウンリンク制御チャネルを受信し、前記ダウンリンク制御チャネルから前記第１の情報を取得する、または、
前記ダウンリンクデータチャネルを受信し、前記ダウンリンクデータチャネルから前記第１の情報を取得するよう構成される、請求項２９に記載のユーザ機器。
【請求項３１】
前記ユーザ機器はさらに、前記無線ネットワーク一時識別子にしたがって前記第１の情報をデスクランブルするよう構成されるデスクランブリングモジュールであって、前記無線ネットワーク一時識別子は、前記ランダムアクセスプリアンブルにしたがって決定される、デスクランブリングモジュールを備える、請求項２５から３０のいずれか一項に記載のユーザ機器。
【請求項３２】
前記ユーザ機器はさらに、スクランブリング／デスクランブリングモジュールを備え、
前記受信モジュールはさらに、前記ランダムアクセスプリアンブルに対応する前記第１の情報を受信した後に、前記制御チャネルを受信する段階、または前記ＵＥ固有情報を受信する段階のうちの少なくとも１つを実行するよう構成され、
前記送信モジュールはさらに、前記受信モジュールが前記ランダムアクセスプリアンブルに対応する前記第１の情報を受信した後に、前記第２の情報を送信するよう構成され、
前記スクランブリング／デスクランブリングモジュールは、前記ランダムアクセスプリアンブルにしたがって決定される前記無線ネットワーク一時識別子にしたがって、前記第２の情報、前記制御チャネル、または前記ＵＥ固有情報のうちの少なくとも１つをスクランブルまたはデスクランブルするよう構成される、
請求項２５から３０のいずれか一項に記載のユーザ機器。
【発明の詳細な説明】
【技術分野】
【０００１】
本発明の実施形態は通信分野に関し、具体的には、情報伝送方法、基地局、およびユーザ機器に関する。
【背景技術】
【０００２】
モノのインターネットとは、特定の感知、計算、実行、および通信の機能を有するデバイスを配備することによって物理的世界に関する情報が取得され、ネットワークを使用することによって情報伝送、協調、および処理が実現されて、人とモノとの間およびモノの間の相互接続を実現するネットワークを指す。手短に言えば、モノのインターネットは、人とモノとの間およびモノの間の相互接続および相互運用性を実現するよう意図されている。考えられる用途としては、スマートグリッド、インテリジェント農業、インテリジェント輸送、および環境モニタリングなどの様々な態様が挙げられる。
【０００３】
モバイル通信標準化組織の第３世代パートナーシッププロジェクト（英文正式名称：３ｒｄ  Ｇｅｎｅｒａｔｉｏｎ  Ｐａｒｔｎｅｒｓｈｉｐ  Ｐｒｏｊｅｃｔ、英語頭字語：３ＧＰＰ）が、モノのインターネットについての技術研究および規格最適化作業を実行しているところである。主な研究および最適化の方針は、コスト低減およびカバレッジ拡張である。コストまたは複雑性の低減に関して、端末デバイスの使用帯域幅、処理帯域幅、無線周波数帯域幅、またはベースバンド帯域幅のうちの１または複数が低減され得る。そのようなタイプの端末は、低コスト端末または低複雑性端末と称されてよい。例えば、重要な研究方針は、端末デバイスの使用帯域幅を１．４ＭＨｚに制限することである。カバレッジ拡張に関しては、比較的大きな経路損失を有し、地下または同様の場所に位置するマシンタイプ通信（英文正式名称：Ｍａｃｈｉｎｅ  Ｔｙｐｅ  Ｃｏｍｍｕｎｉｃａｔｉｏｎ、英語頭字語：ＭＴＣ）デバイスに対してカバレッジ拡張のサポートが主に提供され、これにより、特別なシナリオにある当該デバイスは、ネットワークにアクセスし、サービスを取得できる。カバレッジ拡張を実装するための１つの方法は、信号反復である。信号反復の技術は、ある程度までカバレッジ拡張をもたらすことができるが、より多くのリソースを消費し得る。カバレッジ拡張の実装に信号反復が使用されるときにリソースの利用をどのように向上させるかは、解決を要する問題である。
【０００４】
ランダムアクセス応答（英文正式名称：Ｒａｎｄｏｍ  Ａｃｃｅｓｓ  Ｒｅｓｐｏｎｓｅ、英語頭字語：ＲＡＲ）に関して、現在のプロトコルによれば、ＲＡＲメッセージは、物理ダウンリンク制御チャネル（英文正式名称：Ｐｈｙｓｉｃａｌ  Ｄｏｗｎｌｉｎｋ  Ｃｏｎｔｒｏｌ  Ｃｈａｎｎｅｌ、英語頭字語：ＰＤＣＣＨ）によってスケジューリングされる物理ダウンリンク共有データチャネル（英文正式名称：Ｐｈｙｓｉｃａｌ  ｄｏｗｎｌｉｎｋ  ｓｈａｒｅｄ  ｄａｔａ  ｃｈａｎｎｅｌ、英語頭字語：ＰＤＳＣＨ）を使用することによって伝送される。ユーザ機器（英文正式名称：Ｕｓｅｒ  Ｅｑｕｉｐｍｅｎｔ、英語頭字語：ＵＥ）は、まずＰＤＣＣＨを受信し、受信されたＰＤＣＣＨ内の制御情報の指示にしたがって、ランダムアクセス応答メッセージのトランスポートブロックサイズ（英文正式名称：Ｔｒａｎｓｐｏｒｔ  Ｂｌｏｃｋ  Ｓｉｚｅ、英語頭字語：ＴＢＳ）を取得する必要があり、さらに、決定されたＴＢＳにしたがってランダムアクセス応答メッセージを受信する。
【０００５】
ランダムアクセス応答に対してカバレッジ拡張伝送が実行される必要があるシナリオにおいて、従来技術のＲＡＲメッセージは情報内容を過剰に含むので、カバレッジ拡張伝送中に何度も反復することが必要となる。これによって、ＵＥの検出複雑性とＵＥの電力消費オーバーヘッドとが大幅に増す。例えば、従来技術において、１つのＲＡＲメッセージは１または複数のＲＡＲを含んでよい。１つのＲＡＲ内に含まれる情報内容は、少なくとも７バイト（すなわち、５６ビット）を占有するため、過度に重いＲＡＲメッセージ負荷をもたらす。ＲＡＲメッセージに対してカバレッジ拡張伝送が実行される必要があるシナリオにおいて、一例として、カバレッジ拡張伝送は反復伝送であり、同じ時間リソース内におけるランダムアクセス機会数が低減される。既存のＲＡＲメッセージが依然として使用される場合、ＲＡＲメッセージのリソース利用効率は必然的に低減され、ユーザ機器による、チャネル検出の電力消費オーバーヘッドは依然として非常に大きい。
【発明の概要】
【０００６】
本発明の実施形態が情報伝送方法、基地局、およびユーザ機器を提供して、ランダムアクセス応答に関する情報の伝送におけるリソース利用効率を向上させ、ユーザ機器による、チャネル検出の電力消費オーバーヘッドを低減する。
【０００７】
第１態様によれば、本発明の一実施形態が情報伝送方法を提供する。当該方法は、ユーザ機器ＵＥによって送信されたランダムアクセスプリアンブルを受信する段階と、受信されたランダムアクセスプリアンブルにしたがって第１の情報を生成する段階であって、第１の情報は、ランダムアクセスプリアンブルに対するランダムアクセス応答に関する情報であり、第１の情報は、タイミングアドバンス指示情報、制御チャネルの伝送に使用される狭帯域リソースの指示情報、制御チャネルの伝送に使用されるサブフレームの指示情報、制御チャネルの伝送に使用される復調基準信号スクランブリングシーケンス初期化パラメータの指示情報、制御チャネルの伝送に使用されるカバレッジ拡張レベルの指示情報、または、第１の情報に対する応答に関する情報である第２の情報の伝送に使用されるリソース割り当て情報のうちの少なくとも１つを含む、段階と、第１の情報をＵＥに送信する段階とを備える。
【０００８】
第１態様に関連して、第１態様の第１の考えられる実装例において、第１の情報はさらに、一時セル無線ネットワーク一時識別子の指示情報、ランダムアクセスプリアンブルの指示情報、ロールバック指示情報、または制御チャネルの制御チャネル候補セットの指示情報のうちの少なくとも１つを含む。
【０００９】
第１態様、または第１態様の第１の考えられる実装例に関連して、第１態様の第２の考えられる実装例において、第１の情報はさらに、第２の情報の周波数ホッピング指示情報、第２の情報のカバレッジ拡張伝送指示情報、物理アップリンク制御チャネルリソースの開始オフセット指示情報、または制御チャネルの周波数ホッピング指示情報のうちの少なくとも１つを含む。
【００１０】
第１態様、または第１態様の第１もしくは第２の考えられる実装例に関連して、第１態様の第３の考えられる実装例において、第１の情報はさらに、第２の情報を送信するためにＵＥによって使用される送信電力制御指示情報、第２の情報を送信するためにＵＥによって使用される変調および符号化方法指示情報、第２の情報を送信するためにＵＥによって使用されるアップリンク遅延指示情報、ＵＥがチャネル状態情報をレポートするか否かを示す指示情報、ＵＥ固有メッセージの伝送のための開始シンボル指示情報、制御チャネルの制御チャネル構成セット識別子指示情報、または制御チャネルの伝送に使用される伝送タイプの指示情報のうちの少なくとも１つを含む。
【００１１】
第１態様、または第１態様の第１、第２、もしくは第３の考えられる実装例に関連して、第１態様の第４の考えられる実装例において、第１の情報はさらに、ダウンリンク制御チャネルのフォーマット指示情報、またはダウンリンクデータチャネルのフォーマット指示情報を含む。
【００１２】
第１態様の第４の考えられる実装例に関連して、第１態様の第５の考えられる実装例において、第１の情報をＵＥに送信する段階は、第１の情報をダウンリンク制御チャネルに追加し、ダウンリンク制御チャネルを使用することによって当該第１の情報をＵＥに送信する段階、または、第１の情報をダウンリンクデータチャネルに追加し、ダウンリンクデータチャネルを使用することによって当該第１の情報をＵＥに送信する段階を有する。
【００１３】
第１態様、または第１態様の第１、第２、第３、第４、もしくは第５の考えられる実装例に関連して、第１態様の第６の考えられる実装例において、第１の情報をＵＥに送信する段階の前に、当該方法はさらに、無線ネットワーク一時識別子にしたがって第１の情報をスクランブルする段階であって、無線ネットワーク一時識別子は、ランダムアクセスプリアンブルにしたがって決定される、段階を備える。
【００１４】
第１態様、または第１態様の第１、第２、第３、第４、もしくは第５の考えられる実装例に関連して、第１態様の第７の考えられる実装例において、第１の情報をＵＥに送信する段階の後に、当該方法はさらに、無線ネットワーク一時識別子にしたがって、第２の情報、制御チャネル、またはＵＥ固有情報のうちの少なくとも１つをスクランブルまたはデスクランブルする段階であって、無線ネットワーク一時識別子は、ランダムアクセスプリアンブルにしたがって決定される、段階を備える。
【００１５】
第２態様によれば、本発明の一実施形態がさらに情報伝送方法を提供する。当該方法は、ランダムアクセスプリアンブルを基地局に送信する段階と、ランダムアクセスプリアンブルに対応する第１の情報を受信する段階であって、第１の情報は、ランダムアクセスプリアンブルに対する、基地局のランダムアクセス応答に関する情報である、段階と、第１の情報から、タイミングアドバンス指示情報、制御チャネルの伝送に使用される狭帯域リソースの指示情報、制御チャネルの伝送に使用されるサブフレームの指示情報、制御チャネルの伝送に使用される復調基準信号スクランブリングシーケンス初期化パラメータの指示情報、制御チャネルの伝送に使用されるカバレッジ拡張レベルの指示情報、または、第２の情報の伝送に使用されるリソース割り当て情報のうちの少なくとも１つを取得する段階であって、第２の情報は、第１の情報に対する応答に関する情報である、段階とを備える。
【００１６】
第２態様に関連して、第２態様の第１の考えられる実装例において、第１の情報はさらに、一時セル無線ネットワーク一時識別子の指示情報、ランダムアクセスプリアンブルの指示情報、ロールバック指示情報、または、制御チャネルの制御チャネル候補セットの指示情報のうちの少なくとも１つを含む。
【００１７】
第２態様、または第２態様の第１の考えられる実装例に関連して、第２態様の第２の考えられる実装例において、第１の情報はさらに、第２の情報の周波数ホッピング指示情報、第２の情報のカバレッジ拡張伝送指示情報、物理アップリンク制御チャネルリソースの開始オフセット指示情報、または制御チャネルの周波数ホッピング指示情報のうちの少なくとも１つを含む。
【００１８】
第２態様、または第２態様の第１もしくは第２の考えられる実装例に関連して、第２態様の第３の考えられる実装例において、第１の情報はさらに、第２の情報を送信するためにＵＥによって使用される送信電力制御指示情報、第２の情報を送信するためにＵＥによって使用される変調および符号化方法指示情報、第２の情報を送信するためにＵＥによって使用されるアップリンク遅延指示情報、ＵＥがチャネル状態情報をレポートするか否かを示す指示情報、ＵＥ固有メッセージの伝送のための開始シンボル指示情報、制御チャネルの制御チャネル構成セット識別子指示情報、または、制御チャネルの伝送に使用される伝送タイプの指示情報のうちの少なくとも１つを含む。
【００１９】
第２態様、または第２態様の第１、第２、もしくは第３の考えられる実装例に関連して、第２態様の第４の考えられる実装例において、第１の情報はさらに、ダウンリンク制御チャネルのフォーマット指示情報、またはダウンリンクデータチャネルのフォーマット指示情報を含む。
【００２０】
第２態様の第４の考えられる実装例に関連して、第２態様の第５の考えられる実装例において、ランダムアクセスプリアンブルに対応する第１の情報を受信する段階は、ダウンリンク制御チャネルを受信し、ダウンリンク制御チャネルから第１の情報を取得する段階、または、ダウンリンクデータチャネルを受信し、ダウンリンクデータチャネルから第１の情報を取得する段階を有する。
【００２１】
第２態様、または、第２態様の第１、第２、第３、第４、もしくは第５の考えられる実装例に関連して、第２態様の第６の考えられる実装例において、当該方法はさらに、無線ネットワーク一時識別子にしたがって第１の情報をデスクランブルする段階であって、無線ネットワーク一時識別子は、ランダムアクセスプリアンブルにしたがって決定される、段階を備える。
【００２２】
第２態様、または、第１態様の第１、第２、第３、第４、もしくは第５の考えられる実装例に関連して、第２態様の第７の考えられる実装例において、ランダムアクセスプリアンブルに対応する第１の情報を受信する段階の後に、当該方法はさらに、第２の情報を送信する段階、制御情報を受信する段階、またはＵＥ固有情報を受信する段階のうちの少なくとも１つを実行する段階と、無線ネットワーク一時識別子にしたがって、第２の情報、制御チャネル、またはＵＥ固有情報のうちの少なくとも１つをスクランブルまたはデスクランブルする段階であって、無線ネットワーク一時識別子は、ランダムアクセスプリアンブルにしたがって決定される、段階とを備える。
【００２３】
第３態様にしたがって、本発明の一実施形態がさらに基地局を提供する。当該基地局は、ユーザ機器ＵＥによって送信されたランダムアクセスプリアンブルを受信するよう構成される受信モジュールと、受信されたランダムアクセスプリアンブルにしたがって第１の情報を生成するよう構成される情報生成モジュールであって、第１の情報は、ランダムアクセスプリアンブルに対するランダムアクセス応答に関する情報であり、第１の情報は、タイミングアドバンス指示情報、制御チャネルの伝送に使用される狭帯域リソースの指示情報、制御チャネルの伝送に使用されるサブフレームの指示情報、制御チャネルの伝送に使用される復調基準信号スクランブリングシーケンス初期化パラメータの指示情報、制御チャネルの伝送に使用されるカバレッジ拡張レベルの指示情報、または、第１の情報に対する応答に関する情報である第２の情報の伝送に使用されるリソース割り当て情報のうちの少なくとも１つを含む、情報生成モジュールと、第１の情報をＵＥに送信するよう構成される送信モジュールとを備える。
【００２４】
第３態様に関連して、第３態様の第１の考えられる実装例において、第１の情報はさらに、一時セル無線ネットワーク一時識別子の指示情報、ランダムアクセスプリアンブルの指示情報、ロールバック指示情報、または、制御チャネルの制御チャネル候補セットの指示情報のうちの少なくとも１つを含む。
【００２５】
第３態様、または第３態様の第１の考えられる実装例に関連して、第３態様の第２の考えられる実装例において、第１の情報はさらに、第２の情報の周波数ホッピング指示情報、第２の情報のカバレッジ拡張伝送指示情報、物理アップリンク制御チャネルリソースの開始オフセット指示情報、または、制御チャネルの周波数ホッピング指示情報のうちの少なくとも１つを含む。
【００２６】
第３態様、または第３態様の第１もしくは第２の考えられる実装例に関連して、第３態様の第３の考えられる実装例において、第１の情報はさらに、第２の情報を送信するためにＵＥによって使用される送信電力制御指示情報、第２の情報を送信するためにＵＥによって使用される変調および符号化方法指示情報、第２の情報を送信するためにＵＥによって使用されるアップリンク遅延指示情報、ＵＥがチャネル状態情報をレポートするか否かを示す指示情報、ＵＥ固有メッセージの伝送のための開始シンボル指示情報、制御チャネルの制御チャネル構成セット識別子指示情報、または、制御チャネルの伝送に使用される伝送タイプの指示情報のうちの少なくとも１つを含む。
【００２７】
第３態様、または第３態様の第１、第２、もしくは第３の考えられる実装例に関連して、第３態様の第４の考えられる実装例において、第１の情報はさらに、ダウンリンク制御チャネルのフォーマット指示情報、またはダウンリンクデータチャネルのフォーマット指示情報を含む。
【００２８】
第３態様の第４の考えられる実装例に関連して、第３態様の第５の考えられる実装例において、送信モジュールは具体的に、第１の情報をダウンリンク制御チャネルに追加し、当該ダウンリンク制御チャネルを使用することによって第１の情報をＵＥに送信する、または、第１の情報をダウンリンクデータチャネルに追加し、当該ダウンリンクデータチャネルを使用することによって第１の情報をＵＥに送信するよう構成される。
【００２９】
第３態様、または第３態様の第１、第２、第３、第４、もしくは第５の考えられる実装例に関連して、第３態様の第６の考えられる実装例において、基地局はさらに、送信モジュールが第１の情報をＵＥに送信する前に、無線ネットワーク一時識別子にしたがって第１の情報をスクランブルするよう構成されるスクランブリングモジュールであって、無線ネットワーク一時識別子は、ランダムアクセスプリアンブルにしたがって決定される、スクランブリングモジュールを備える。
【００３０】
第３態様、または第３態様の第１、第２、第３、第４、もしくは第５の考えられる実装例に関連して、第３態様の第７の考えられる実装例において、基地局はさらに、送信モジュールが第１の情報をＵＥに送信した後に、無線ネットワーク一時識別子にしたがって、第２の情報、制御チャネル、またはＵＥ固有情報のうちの少なくとも１つをスクランブルまたはデスクランブルするよう構成されるスクランブリング／デスクランブリングモジュールであって、無線ネットワーク一時識別子は、ランダムアクセスプリアンブルにしたがって決定される、スクランブリング／デスクランブリングモジュールを備える。
【００３１】
第４態様にしたがって、本発明の一実施形態はさらにユーザ機器を提供する。当該ユーザ機器は、ランダムアクセスプリアンブルを基地局に送信するよう構成される送信モジュールと、ランダムアクセスプリアンブルに対応する第１の情報を受信するよう構成される受信モジュールであって、第１の情報は、ランダムアクセスプリアンブルに対する、基地局のランダムアクセス応答に関する情報である、受信モジュールと、第１の情報から、タイミングアドバンス指示情報、制御チャネルの伝送に使用される狭帯域リソースの指示情報、制御チャネルの伝送に使用されるサブフレームの指示情報、制御チャネルの伝送に使用される復調基準信号スクランブリングシーケンス初期化パラメータの指示情報、制御チャネルの伝送に使用されるカバレッジ拡張レベルの指示情報、または、第２の情報の伝送に使用されるリソース割り当て情報のうちの少なくとも１つを取得するよう構成される取得モジュールであって、第２の情報は、第１の情報に対する応答に関する情報である、取得モジュールとを備える。
【００３２】
第４態様に関連して、第４態様の第１の考えられる実装例において、第１の情報はさらに、一時セル無線ネットワーク一時識別子の指示情報、ランダムアクセスプリアンブルの指示情報、ロールバック指示情報、または、制御チャネルの制御チャネル候補セットの指示情報のうちの少なくとも１つを含む。
【００３３】
第４態様、または第４態様の第１の考えられる実装例に関連して、第４態様の第２の考えられる実装例において、第１の情報はさらに、第２の情報の周波数ホッピング指示情報、第２の情報のカバレッジ拡張伝送指示情報、物理アップリンク制御チャネルリソースの開始オフセット指示情報、または、制御チャネルの周波数ホッピング指示情報のうちの少なくとも１つを含む。
【００３４】
第４態様、または、第４態様の第１もしくは第２の考えられる実装例に関連して、第４態様の第３の考えられる実装例において、第１の情報はさらに、第２の情報を送信するためにＵＥによって使用される送信電力制御指示情報、第２の情報を送信するためにＵＥによって使用される変調および符号化方法指示情報、第２の情報を送信するためにＵＥによって使用されるアップリンク遅延指示情報、ＵＥがチャネル状態情報をレポートするか否かを示す指示情報、ＵＥ固有メッセージの伝送のための開始シンボル指示情報、制御チャネルの制御チャネル構成セット識別子指示情報、または、制御チャネルの伝送に使用される伝送タイプの指示情報のうちの少なくとも１つを含む。
【００３５】
第４態様、または第４態様の第１、第２、もしくは第３の考えられる実装例に関連して、第４態様の第４の考えられる実装例において、第１の情報はさらに、ダウンリンク制御チャネルのフォーマット指示情報、またはダウンリンクデータチャネルのフォーマット指示情報を含む。
【００３６】
第４態様の第４の考えられる実装例に関連して、第４態様の第５の考えられる実装例において、受信モジュールは具体的に、ダウンリンク制御チャネルを受信し、ダウンリンク制御チャネルから第１の情報を取得する、または、ダウンリンクデータチャネルを受信し、ダウンリンクデータチャネルから第１の情報を取得するよう構成される。
【００３７】
第４態様、または第４態様の第１、第２、第３、第４、もしくは第５の考えられる実装例に関連して、第４態様の第６の考えられる実装例において、ユーザ機器はさらに、無線ネットワーク一時識別子にしたがって第１の情報をデスクランブルするよう構成されるデスクランブリングモジュールであって、無線ネットワーク一時識別子は、ランダムアクセスプリアンブルにしたがって決定される、デスクランブリングモジュールを備える。
【００３８】
第４態様、または第４態様の第１、第２、第３、第４、もしくは第５の考えられる実装例に関連して、第４態様の第７の考えられる実装例において、ユーザ機器はさらにスクランブリング／デスクランブリングモジュールを備え、受信モジュールはさらに、ランダムアクセスプリアンブルに対応する第１の情報を受信した後に、制御チャネルを受信する段階またはＵＥ固有情報を受信する段階のうちの少なくとも１つを実行するよう構成され、送信モジュールはさらに、受信モジュールがランダムアクセスプリアンブルに対応する第１の情報を受信した後に、第２の情報を送信するよう構成され、スクランブリング／デスクランブリングモジュールは、ランダムアクセスプリアンブルにしたがって決定される無線ネットワーク一時識別子にしたがって、第２の情報、制御チャネル、またはＵＥ固有情報のうちの少なくとも１つをスクランブルまたはデスクランブルするよう構成される。
【００３９】
前述の技術的解決手段から、本発明の実施形態は以下の利点を有することが分かる。
【００４０】
本発明の実施形態において、まず、ＵＥによって送信されたランダムアクセスプリアンブルが受信され、次に、受信されたランダムアクセスプリアンブルにしたがって第１の情報が生成される。第１の情報は、ランダムアクセスプリアンブルに対するランダムアクセス応答に関する情報であり、第１の情報は、タイミングアドバンス指示情報、制御チャネルの伝送に使用される狭帯域リソースの指示情報、制御チャネルの伝送に使用されるサブフレームの指示情報、制御チャネルの伝送に使用される復調基準信号スクランブリングシーケンス初期化パラメータの指示情報、制御チャネルの伝送に使用されるカバレッジ拡張レベルの指示情報、または、第２の情報の伝送に使用されるリソース割り当て情報のうちの少なくとも１つを含む。第２の情報は、第１の情報に対する応答に関する情報である。最後に、第１の情報はＵＥに送信される。第１の情報は、ランダムアクセス応答に関する情報であり、第１の情報に含まれる情報は、より少ない指示ビットを有する。したがって、第１の情報は、より簡略化された構造を有し、これにより、比較的少ないリソースを使用することによってアクセス応答情報が伝送され得、それによって、ランダムアクセス応答に関する情報の伝送のリソース利用効率を向上させ、ユーザ機器によるチャネル検出の電力消費オーバーヘッドを低減する。
【図面の簡単な説明】
【００４１】
【図１】本発明に係る通信システムに情報伝送方法が適用されることを示すシステムアーキテクチャ図である。
【００４２】
【図２】本発明の一実施形態に係る情報伝送方法の概略ブロックフローチャートである。
【００４３】
【図３】本発明の一実施形態に係る情報伝送方法の概略ブロックフローチャートである。
【００４４】
【図４−ａ】本発明の一実施形態に係る基地局の概略構造組成図である。
【００４５】
【図４−ｂ】本発明の一実施形態に係る別の基地局の概略構造組成図である。
【００４６】
【図４−ｃ】本発明の一実施形態に係る別の基地局の概略構造組成図である。
【００４７】
【図５−ａ】本発明の一実施形態に係るユーザ機器の概略構造組成図である。
【００４８】
【図５−ｂ】本発明の一実施形態に係る別のユーザ機器の概略構造組成図である。
【００４９】
【図５−ｃ】本発明の一実施形態に係る別のユーザ機器の概略構造組成図である。
【００５０】
【図６】本発明の一実施形態に係る別の基地局の概略構造組成図である。
【００５１】
【図７】本発明の一実施形態に係る別のユーザ機器の概略構造組成図である。
【発明を実施するための形態】
【００５２】
本発明の実施形態が、情報伝送方法、基地局、およびユーザ機器を提供して、ランダムアクセス応答に関する情報の伝送のリソース利用効率を向上させ、ユーザ機器によるチャネル検出の電力消費オーバーヘッドを低減する。
【００５３】
本発明の発明目的、特徴、および利点をより明確かつより分かり易くすべく、本発明の実施形態における添付の図面に関連して、本発明の実施形態における技術的解決手段を以下で明確かつ十分に説明する。以下で説明される実施形態が、本発明の実施形態の全てではなく一部に過ぎないことは明らかである。本発明の実施形態に基づいて当業者によって取得される他の全て実施形態は、本発明の保護範囲内に当然に含まれる。
【００５４】
本発明の本明細書、特許請求の範囲、および添付の図面において、「第１」、「第２」などの用語は、同様の対象物を区別するためのものであり、必ずしも特定の順序または順番を示すわけではない。そのようなやり方で使用される用語は、適切な状況においては交換可能であり、そのことは、本発明の実施形態において同じ属性を有する対象物が説明されるときに使用される区別方式に過ぎないことを理解されたい。加えて、用語「含む（ｉｎｃｌｕｄｅ）」、「含む（ｃｏｎｔａｉｎ）」および任意の他の派生語は、非排他的な含有を含むことを意味する。これにより、一連のユニットを含むプロセス、方法、システム、製品、またはデバイスは、必ずしもそれらのユニットに限定されるわけではなく、明示的に列挙されていないか、またはそのようなプロセス、方法、システム、製品、またはデバイスに固有の他のユニットを含んでよい。
【００５５】
本発明の実施形態における伝送とは、送信または受信であってよい。片側のデバイスによる伝送が送信である場合、その側のデバイスに対応する反対側の通信デバイスによる伝送は受信であり、逆もまた同様である。本発明の実施形態におけるカバレッジ拡張は、反復伝送、スペクトル拡散伝送、再伝送、伝送時間間隔バンドリング、狭帯域（例えば、副搬送波スケジューリング）伝送、超狭帯域（例えば、数十ヘルツから十数キロヘルツの帯域幅）伝送、向上パワースペクトル密度伝送、緩和要件伝送、または連続試行伝送のうちの１または複数であってよい。
【００５６】
まず、本発明の情報伝送方法が適用されるシステムアーキテクチャを簡潔に説明する。本発明は主に、ＬＴＥシステム、またはロングタームエボリューションアドバンスド（ＬＴＥ−Ａ、ＬＴＥ  Ａｄｖａｎｃｅｄ）システムに適用される。あるいは、通信システム内に情報を送信できるエンティティがあり、通信システム内に情報を受信できる別のエンティティがあるならば、本発明は、例えば、広帯域符号分割多重接続（Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡ（登録商標））システム、または時分割同期符号分割多重接続（Ｔｉｍｅ  Ｄｉｖｉｓｉｏｎ−Ｓｙｎｃｈｒｏｎｏｕｓ  Ｃｏｄｅ  Ｄｉｖｉｓｉｏｎ  Ｍｕｌｔｉｐｌｅ  Ａｃｃｅｓｓ、ＴＤ−ＳＣＤＭＡ）システムといった別の通信システムに適用されてよい。例えば、情報は、システム情報、ランダムアクセス応答に関する情報、またはページングメッセージのうちの１または複数であってよい。
【００５７】
図１を参照すると、図１は、本発明に係る通信システムに情報伝送方法が適用されることを示すシステムアーキテクチャ図である。図１に示されるように、基地局（英語名称：Ｂａｓｅ  ｓｔａｔｉｏｎ）とユーザ機器（ＵＥ、Ｕｓｅｒ  Ｅｑｕｉｐｍｅｎｔ）１からＵＥ６とが通信システムを形成している。当該通信システムにおいて、基地局は、システム情報、ＲＡＲメッセージ、またはページングメッセージのうちの１または複数を、ＵＥ１からＵＥ６のうちの１または複数のＵＥに送信する。基地局は、本発明の情報伝送方法の送信端デバイスである。ＵＥ１からＵＥ６は、本発明の情報伝送方法の受信端デバイスである。加えて、ＵＥ４からＵＥ６もまた、通信システムを形成している。当該通信システムにおいて、ＵＥ５は基地局の機能として実装されてよい。ＵＥ５は、システム情報、ランダムアクセス応答に関する情報、またはページングメッセージのうちの１または複数を、ＵＥ４からＵＥ６のうちの１または複数のＵＥに送信してよい。
【００５８】
以下で、詳細な説明を個別に提供する。
【００５９】
本発明は、情報がランダムアクセス応答に関する情報である例を使用した伝送方法の実施形態であり、基地局による情報の送信に適用されてよい。図２を参照すると、当該情報伝送方法は以下の段階を含んでよい。
【００６０】
２０１．ＵＥによって送信されたランダムアクセスプリアンブルを受信する。
【００６１】
本発明の本実施形態において提供されるランダムアクセスプロセスでは、ＵＥはまず、ランダムアクセスプリアンブルを基地局に送信する。ＵＥによって送信されたランダムアクセスプリアンブルを受信した後、基地局は段階２０２を実行する。
【００６２】
２０２．受信されたランダムアクセスプリアンブルにしたがって第１の情報を生成する。
【００６３】
第１の情報は、ランダムアクセスプリアンブルに対するランダムアクセス応答に関する情報であり、第１の情報は、タイミングアドバンス指示情報、制御チャネルの伝送に使用される狭帯域リソースの指示情報、制御チャネルの伝送に使用されるサブフレームの指示情報、制御チャネルの伝送に使用される復調基準信号スクランブリングシーケンス初期化パラメータの指示情報、制御チャネルの伝送に使用されるカバレッジ拡張レベルの指示情報、または、第１の情報に対する応答に関する情報である第２の情報の伝送に使用されるリソース割り当て情報のうちの少なくとも１つを含む。本発明の本実施形態の制御チャネルは、競合解決メッセージをスケジューリングするための制御チャネル、またはＵＥ固有制御チャネル、またはアップリンク制御チャネルであってよい。
【００６４】
本発明の本実施形態では、ランダムアクセスプリアンブルを受信した後に、基地局は、ランダムアクセスプリアンブルにしたがって応答する。基地局は、第１の情報を生成する。第１の情報は、ランダムアクセスプリアンブルに対するランダムアクセス応答に関する情報である。具体的には、ランダムアクセス応答に関する情報は、ダウンリンク制御チャネルまたはダウンリンクデータチャネルを使用することによって伝送されてよい。ランダムアクセスプリアンブルに対して応答するために使用される情報の伝送効率を向上させ、チャネルを検出するためにＵＥによって使用されるオーバーヘッドを低減すべく、基地局は簡潔な第１の情報を生成する必要がある。本発明の本実施形態では、基地局は、ランダムアクセス応答に関し、かつ、生成される必要がある情報を簡略化して第１の情報を取得する。第１の情報は、１）タイミングアドバンス指示情報、２）制御チャネルの伝送に使用される狭帯域リソースの指示情報、３）制御チャネルの伝送に使用されるサブフレームの指示情報、４）制御チャネルの伝送に使用される復調基準信号スクランブリングシーケンス初期化パラメータの指示情報、５）制御チャネルの伝送に使用されるカバレッジ拡張レベルの指示情報、または６）第２の情報の伝送に使用されるリソース割り当て情報のうちの少なくとも１つを含む。第２の情報は、第１の情報に対する応答に関する情報である。第１の情報は、前述の６タイプの情報のうちのいずれか１つ、もしくはいずれか２つ、もしくはいずれか３つ、もしくはいずれか４つ、もしくはいずれか５つを含んでよく、または、６タイプの情報の全てを含んでよいことに留意すべきである。第１の情報にどの１または複数のタイプの情報が具体的に含まれているかは、適用シナリオによって具体的に決定されてよい。
【００６５】
本発明のいくつかの実施形態において、上述の１）から６）に示された指示情報のうちの少なくとも１つに加えて、本発明の本実施形態において提供される第１の情報はさらに、：７）一時セル無線ネットワーク一時識別子の指示情報、８）ランダムアクセスプリアンブルの指示情報、９）ロールバック指示情報、または１０）制御チャネルの制御チャネル候補セットの指示情報といった４タイプの情報のうちの少なくとも１つを含む。第１の情報は、前述の４タイプの情報のうちのいずれか１つ、いずれか２つ、もしくはいずれか３つを含んでよく、または４タイプの情報全てを含んでよいことに留意すべきである。第１の情報にどの１または複数のタイプの情報が具体的に含まれているかは、適用シナリオによって具体的に決定されてよい。
【００６６】
本発明のいくつかの実施形態では、上述の１）から６）に示される指示情報のうちの少なくとも１つに加えて、または、上述の１）から１０）に示される指示情報のうちの少なくとも１つに加えて、本発明の本実施形態において提供される第１の情報はさらに、１１）第２の情報の周波数ホッピング指示情報、１２）第２の情報のカバレッジ拡張伝送指示情報、１３）物理アップリンク制御チャネルリソースの開始オフセット指示情報、または１４）制御チャネルの周波数ホッピング指示情報といった４タイプの情報のうちの少なくとも１つを含んでよい。第１の情報は、前述の４タイプの情報のうちのいずれか１つ、いずれか２つ、もしくはいずれか３つを含んでよく、または４タイプの情報全てを含んでよいことに留意すべきである。第１の情報にどの１または複数のタイプの情報が具体的に含まれているかは、適用シナリオによって具体的に決定されてよい。
【００６７】
本発明のいくつかの実施形態では、上述の１）から６）に示される指示情報のうちの少なくとも１つに加えて、または上述の１）から１０）に示される指示情報のうちの少なくとも１つに加えて、または上述の１）から１４）に示される指示情報のうちの少なくとも１つに加えて、本発明の本実施形態において提供される第１の情報はさらに、１５）第２の情報を送信するためにＵＥによって使用される送信電力制御指示情報、１６）第２の情報を送信するためにＵＥによって使用される変調および符号化方法指示情報、１７）第２の情報を送信するためにＵＥによって使用されるアップリンク遅延指示情報、１８）ＵＥがチャネル状態情報をレポートするか否かを示す指示情報、１９）ＵＥ固有メッセージの伝送のための開始シンボル指示情報、２０）制御チャネルの制御チャネル構成セット識別子指示情報、または２１）制御チャネルの伝送に使用される伝送タイプの指示情報といった７タイプの情報のうちの少なくとも１つを含む。第１の情報は、前述の７タイプの情報のうちのいずれか１つ、もしくはいずれか２つ、もしくはいずれか３つ、もしくはいずれか４つ、もしくはいずれか５つ、もしくはいずれか６つを含んでよく、または、７タイプの情報の全てを含んでよいことに留意すべきである。第１の情報にどの１または複数のタイプの情報が具体的に含まれているかは、適用シナリオによって具体的に決定されてよい。
【００６８】
本発明のいくつかの実施形態において、第１の情報はさらに、ダウンリンク制御チャネルのフォーマット指示情報、またはダウンリンクデータチャネルのフォーマット指示情報を含む。
【００６９】
本発明の本実施形態では、第１の情報は、前述の説明における１つまたは複数のタイプの指示情報を含んでよいことに留意すべきである。そのような指示情報の具体的な実装例については、後続の実施形態における第１の情報の説明を参照されたい。
【００７０】
２０３．第１の情報をＵＥに送信する。
【００７１】
本発明の本実施形態では、上述の簡略化された第１の情報を生成した後、基地局は、第１の情報をランダムアクセスプリアンブルに対するランダムアクセス応答に関する情報としてＵＥに送信する。
【００７２】
具体的には、本発明のいくつかの実施形態において、第１の情報はさらに、ダウンリンク制御チャネルのフォーマット指示情報、またはダウンリンクデータチャネルのフォーマット指示情報を含む。第１の情報をＵＥに送信する段階２０３は、以下の段階を有する。
Ａ１．第１の情報をダウンリンク制御チャネルに追加し、当該ダウンリンク制御チャネルを使用することによって第１の情報をＵＥに送信する、または、
Ａ２．第１の情報をダウンリンクデータチャネルに追加し、当該ダウンリンクデータチャネルを使用することによって第１の情報をＵＥに送信する。
【００７３】
段階Ａ１の実装において、基地局は具体的に、第１の情報をダウンリンク制御情報に追加し、当該ダウンリンク制御チャネルを使用することによってダウンリンク制御情報を送信してよい。ダウンリンク制御情報は、第１の情報を含む。段階Ａ２の実装において、基地局は具体的に、ダウンリンク制御情報を使用することによって第１の情報をスケジューリングしてよい。基地局は、ダウンリンク制御チャネルを使用することによってダウンリンク制御情報を送信し、次に、ダウンリンクデータチャネルを使用することによって第１の情報を送信する。ダウンリンク制御情報を受信した後、ＵＥは、ダウンリンク制御情報の指示にしたがって第１の情報を受信する。第１の情報は従来技術のランダムアクセス応答メッセージより簡略化された構造を有するので、ＵＥによるチャネル検出の電力消費オーバーヘッドが非常に小さい。
【００７４】
本発明のいくつかの実施形態において、第１の情報をＵＥに送信する段階２０３の前に、本発明の本実施形態において提供される情報伝送方法は、さらに以下の段階を備えてよい。
Ｂ１．無線ネットワーク一時識別子にしたがって第１の情報をスクランブルする。ここで、無線ネットワーク一時識別子はランダムアクセスプリアンブルにしたがって決定される。
【００７５】
第１のＵＥを送信する前に、基地局はさらに、無線ネットワーク一時識別子を使用することによって第１の情報をスクランブルしてよい。無線ネットワーク一時識別子はランダムアクセスプリアンブルにしたがって決定されてよいので、基地局は、ランダムアクセスプリアンブルの識別子を第１の情報に追加するのではなく、第１の情報を使用することによって無線ネットワーク一時識別子をスクランブリングコードとして使用して、無線ネットワーク一時識別子とランダムアクセスプリアンブルとの間の対応関係にしたがってランダムアクセスプリアンブルを示してよい。ＵＥが第１の情報をデスクランブルするとき、ＵＥは、基地局によって使用される無線ネットワーク一時識別子を取得し得、これにより、ＵＥは、無線ネットワーク一時識別子に対応するランダムアクセスプリアンブルを取得する。本発明の本実施形態では、無線ネットワーク一時識別子は、ランダムアクセス無線ネットワーク一時識別子であってよい。もちろん、無線ネットワーク一時識別子とランダムアクセスプリアンブルとが対応関係を有していることが確保されているならば、無線ネットワーク一時識別子は、任意のタイプの一時識別子であってよい。
【００７６】
本発明のいくつかの実施形態において、第１の情報をＵＥに送信する段階２０３の後に、本発明の本実施形態において提供される情報伝送方法は、さらに以下の段階を備えてよい。
Ｃ１．無線ネットワーク一時識別子にしたがって、第２の情報、制御チャネル、またはＵＥ固有情報のうちの少なくとも１つをスクランブルまたはデスクランブルする。ここで、無線ネットワーク一時識別子は、ランダムアクセスプリアンブルにしたがって決定される。
【００７７】
基地局が第１の情報をＵＥに送信した後、第１の情報は、第２の情報の伝送に使用されるリソース割り当て情報を含むので、第２の情報は、第１の情報に対する応答に関する情報である。ＵＥは、第２の情報の伝送に使用され、かつ、第１の情報に含まれるリソース割り当て情報にしたがって、第２の情報を基地局に送信する。基地局がＵＥによって送信された第２の情報を受信するとき、基地局は、無線ネットワーク一時識別子にしたがって第２の情報をデスクランブルする。加えて、制御チャネルまたはＵＥ固有情報をＵＥに送信する前に、基地局は、無線ネットワーク一時識別子にしたがって制御チャネルまたはＵＥ固有情報をスクランブルする。本発明の本実施形態において、無線ネットワーク一時識別子は、ランダムアクセス無線ネットワーク一時識別子であってよい。もちろん、無線ネットワーク一時識別子とランダムアクセスプリアンブルとが対応関係を有していることが確保されているならば、無線ネットワーク一時識別子は、任意のタイプの一時識別子であってよい。本発明の本実施形態において、ＵＥ固有情報は具体的に、競合解決メッセージ、ＵＥ固有制御情報、またはＵＥ固有データ情報であってよい。従来技術によれば、一時セル無線ネットワーク一時識別子（英文正式名称：Ｔｅｍｐｏｒａｒｙ  Ｃｅｌｌ−Ｒａｄｉｏ  Ｎｅｔｗｏｒｋ  Ｔｅｍｐｏｒａｒｙ  Ｉｄｅｎｔｉｆｉｅｒ、英語頭字語：ＴＣ−ＲＮＴＩ）が、競合解決メッセージをスクランブルするために使用される必要がある。この場合、従来技術によれば、基地局によって生成される第１の情報は、ＴＣ−ＲＮＴＩを保持する必要がある。しかしながら、本発明の本実施形態では、基地局によって生成される第１の情報は、ＴＣ−ＲＮＴＩを保持しない。本発明の本実施形態では、基地局は、無線ネットワーク一時識別子をスクランブリングコードとして使用する。ＵＥが第１の情報をデスクランブルするとき、ＵＥが、基地局によって使用される無線ネットワーク一時識別子を取得してよい。無線ネットワーク一時識別子はまた、競合解決メッセージをデスクランブルするために使用されてよく、これにより、第１の情報が競合解決メッセージのスクランブリングコードを保持するときに生じるオーバーヘッドが低減される。あるいは、基地局は、無線ネットワーク一時識別子を使用して、競合解決メッセージまたは制御チャネルをスクランブルする。競合解決メッセージまたは制御チャネルをスクランブルするために使用される無線ネットワーク一時識別子は、第１の情報をスクランブルするために使用される無線ネットワーク一時識別子と同じであってよいし、またはそれとは異なっていてもよい。
【００７８】
前述の実施形態における本発明の説明から分かるように、まず、ＵＥによって送信されたランダムアクセスプリアンブルが受信され、次に、受信されたランダムアクセスプリアンブルにしたがって第１の情報が生成される。第１の情報は、ランダムアクセスプリアンブルに対するランダムアクセス応答に関する情報である。第１の情報は、タイミングアドバンス指示情報、制御チャネルの伝送に使用される狭帯域リソースの指示情報、制御チャネルの伝送に使用されるサブフレームの指示情報、制御チャネルの伝送に使用される復調基準信号スクランブリングシーケンス初期化パラメータの指示情報、制御チャネルの伝送に使用されるカバレッジ拡張レベルの指示情報、または第２の情報の伝送に使用されるリソース割り当て情報のうちの少なくとも１つを含む。第２の情報は、第１の情報に対する応答に関する情報である。最後に、第１の情報はＵＥに送信される。第１の情報は、ランダムアクセス応答に関する情報であり、第１の情報に含まれる指示情報は、より少ない指示ビットを有する。したがって、第１の情報は、より簡略化された構造を有し、これにより、比較的少ないリソースを使用することによってアクセス応答情報が伝送され得、それによって、ランダムアクセス応答に関する情報の伝送のリソース利用効率を向上させ、ユーザ機器によるチャネル検出の電力消費オーバーヘッドを低減する。
【００７９】
情報伝送方法が、前述の実施形態の基地局側から説明される。以下で、基地局のピアエンド（ユーザ機器）側から、本発明において提供される情報伝送方法を説明する。図３を参照すると、本発明の別の実施形態において提供される情報伝送方法は、以下の段階を含んでよい。
【００８０】
３０１．ランダムアクセスプリアンブルを基地局に送信する。
【００８１】
本発明の本実施形態において提供されるランダムアクセスプロセスにおいて、ＵＥはまず、ランダムアクセスプリアンブルを基地局に送信する。ランダムアクセスプリアンブルを送信した後、ＵＥは、段階３０２を実行する。
【００８２】
３０２．ランダムアクセスプリアンブルに対応する第１の情報を受信する。第１の情報は、ランダムアクセスプリアンブルに対する、基地局のランダムアクセス応答に関する情報である。
【００８３】
３０３．第１の情報から、タイミングアドバンス指示情報、制御チャネルの伝送に使用される狭帯域リソースの指示情報、制御チャネルの伝送に使用されるサブフレームの指示情報、制御チャネルの伝送に使用される復調基準信号スクランブリングシーケンス初期化パラメータの指示情報、制御チャネルの伝送に使用されるカバレッジ拡張レベルの指示情報、または、第１の情報に対する応答に関する情報である第２の情報の伝送に使用されるリソース割り当て情報のうちの少なくとも１つを取得する。
【００８４】
本発明の本実施形態では、ランダムアクセスプリアンブルを基地局に送信した後、ＵＥは、ランダムアクセスプリアンブルに対応する第１の情報を受信してよい。ＵＥによって受信される第１の情報は、基地局によって簡略化された第１の情報である。第１の情報に含まれる内容は、従来技術におけるものより小さい。したがって、ＵＥによって第１の情報を検出することに関する複雑性は、大幅に低減され得る。具体的には、ＵＥによって受信される第１の情報は、ランダムアクセスプリアンブルに対するランダムアクセス応答に関する情報として使用される。ＵＥは、ランダムアクセスプリアンブルに対する基地局の応答を、第１の情報を使用することによって取得する。
【００８５】
本発明の本実施形態では、ＵＥは、ランダムアクセスプリアンブルに対応する第１の情報を受信する。第１の情報は、ランダムアクセスプリアンブルに対するランダムアクセス応答に関する情報である。具体的には、ランダムアクセス応答に関する情報は、ダウンリンク制御チャネルを使用することによって伝送されてよく、または、ダウンリンクデータチャネルを使用することによって伝送されてよい。ランダムアクセスプリアンブルに対して応答するために使用される情報の伝送効率を向上させ、チャネルを検出するためにＵＥによって使用されるオーバーヘッドを低減すべく、基地局は簡潔な第１の情報を生成する必要がある。本発明の本実施形態では、ＵＥによって受信される簡潔な第１の情報は、１）タイミングアドバンス指示情報、２）制御チャネルの伝送に使用される狭帯域リソースの指示情報、３）制御チャネルの伝送に使用されるサブフレームの指示情報、４）制御チャネルの伝送に使用される復調基準信号スクランブリングシーケンス初期化パラメータの指示情報、５）制御チャネルの伝送に使用されるカバレッジ拡張レベルの指示情報、または６）第２の情報の伝送に使用されるリソース割り当て情報といった６タイプの情報のうちの少なくとも１つを含む。第２の情報は、第１の情報に対する応答に関する情報である。第１の情報は、前述の６タイプの情報のうちのいずれか１つ、もしくはいずれか２つ、もしくはいずれか３つ、もしくはいずれか４つ、もしくはいずれか５つを含んでよく、または、６タイプの情報の全てを含んでよいことに留意すべきである。第１の情報にどの１または複数のタイプの情報が具体的に含まれているかは、適用シナリオによって具体的に決定されてよい。
【００８６】
本発明のいくつかの実施形態では、上述の１）から６）に示される指示情報のうちの少なくとも１つに加えて、本発明の本実施形態において提供される第１の情報はさらに、７）．一時セル無線ネットワーク一時識別子の指示情報、８）．ランダムアクセスプリアンブルの指示情報、９）．ロールバック指示情報、または１０）．制御チャネルの制御チャネル候補セットの指示情報といった４タイプの情報のうちの少なくとも１つを含む。第１の情報は、前述の４タイプの情報のうちのいずれか１つ、いずれか２つ、もしくはいずれか３つを含んでよく、または４タイプの情報全てを含んでよいことに留意すべきである。第１の情報にどの１または複数のタイプの情報が具体的に含まれているかは、適用シナリオによって具体的に決定されてよい。
【００８７】
本発明のいくつかの実施形態では、上述の１）から６）に示される指示情報のうちの少なくとも１つに加えて、または、上述の１）から１０）に示される指示情報のうちの少なくとも１つに加えて、本発明の本実施形態において提供される第１の情報はさらに、１１）第２の情報の周波数ホッピング指示情報、１２）第２の情報のカバレッジ拡張伝送指示情報、１３）物理アップリンク制御チャネルリソースの開始オフセット指示情報、または１４）制御チャネルの周波数ホッピング指示情報といった４タイプの情報のうちの少なくとも１つを含んでよい。第１の情報は、前述の４タイプの情報のうちのいずれか１つ、いずれか２つ、もしくはいずれか３つを含んでよく、または４タイプの情報全てを含んでよいことに留意すべきである。第１の情報にどの１または複数のタイプの情報が具体的に含まれているかは、適用シナリオによって具体的に決定されてよい。
【００８８】
本発明のいくつかの実施形態では、上述の１）から６）に示される指示情報のうちの少なくとも１つに加えて、または上述の１）から１０）に示される指示情報のうちの少なくとも１つに加えて、または上述の１）から１４）に示される指示情報のうちの少なくとも１つに加えて、本発明の本実施形態において提供される第１の情報はさらに、１５）第２の情報を送信するためにＵＥによって使用される送信電力制御指示情報、１６）第２の情報を送信するためにＵＥによって使用される変調および符号化方法指示情報、１７）第２の情報を送信するためにＵＥによって使用されるアップリンク遅延指示情報、１８）ＵＥがチャネル状態情報をレポートするか否かを示す指示情報、１９）ＵＥ固有メッセージの伝送のための開始シンボル指示情報、２０）制御チャネルの制御チャネル構成セット識別子指示情報、または２１）制御チャネルの伝送に使用される伝送タイプの指示情報といった７タイプの情報のうちの少なくとも１つを含む。第１の情報は、前述の７タイプの情報のうちのいずれか１つ、もしくはいずれか２つ、もしくはいずれか３つ、もしくはいずれか４つ、もしくはいずれか５つ、もしくはいずれか６つを含んでよく、または、７タイプの情報の全てを含んでよいことに留意すべきである。第１の情報にどの１または複数のタイプの情報が具体的に含まれているかは、適用シナリオによって具体的に決定されてよい。
【００８９】
本発明のいくつかの実施形態において、第１の情報はさらに、ダウンリンク制御チャネルのフォーマット指示情報、またはダウンリンクデータチャネルのフォーマット指示情報を含む。
【００９０】
本発明の本実施形態では、第１の情報は、前述の説明における１つまたは複数のタイプの指示情報を含んでよいことに留意すべきである。そのような指示情報の具体的な実装例については、後続の実施形態における第１の情報の説明を参照されたい。
【００９１】
具体的には、本発明のいくつかの実施形態において、第１の情報はさらに、ダウンリンク制御チャネルのフォーマット指示情報、またはダウンリンクデータチャネルのフォーマット指示情報を含む。ランダムアクセスプリアンブルに対応する第１の情報をＵＥによって受信する段階３０２は、以下の段階を有する。
Ｄ１．ダウンリンク制御チャネルを受信し、ダウンリンク制御チャネルから第１の情報を取得する、または、
Ｄ２．ダウンリンクデータチャネルを受信し、ダウンリンクデータチャネルから第１の情報を取得する。
【００９２】
段階Ｄ１の実装において、基地局は具体的に、第１の情報をダウンリンク制御情報に追加し、ダウンリンク制御チャネルを使用することによって当該ダウンリンク制御情報を送信してよい。ダウンリンク制御情報は、第１の情報を含む。ＵＥは、ダウンリンク制御チャネルを受信することによって第１の情報を取得する。段階Ｄ２の実装において、基地局は具体的に、ダウンリンク制御情報を使用することによって第１の情報をスケジューリングしてよい。基地局は、ダウンリンク制御チャネルを使用することによってダウンリンク制御情報を送信し、次に、ダウンリンクデータチャネルを使用することによって第１の情報を送信する。ダウンリンク制御情報を受信した後、ＵＥは、受信されたダウンリンク制御情報の指示にしたがって第１の情報を受信する。第１の情報は従来技術のランダムアクセス応答メッセージより簡略化された構造を有するので、ＵＥによるチャネル検出の電力消費オーバーヘッドが非常に小さい。
【００９３】
本発明のいくつかの実施形態において、段階３０２におけるランダムアクセスプリアンブルに応答して第１の情報を受信するプロセスでは、本発明の本実施形態において提供される情報伝送方法は、さらに以下の段階を備える。
Ｅ１．無線ネットワーク一時識別子にしたがって第１の情報をデスクランブルする。ここで、無線ネットワーク一時識別子は、ランダムアクセスプリアンブルにしたがって決定される。
【００９４】
第１の情報を送信する前に、基地局はさらに、無線ネットワーク一時識別子を使用することによって第１の情報をスクランブルしてよい。無線ネットワーク一時識別子はランダムアクセスプリアンブルにしたがって決定されてよいので、基地局は、ランダムアクセスプリアンブルの識別子を第１の情報に追加するのではなく、第１の情報を使用することによって無線ネットワーク一時識別子をスクランブリングコードとして使用して、無線ネットワーク一時識別子とランダムアクセスプリアンブルとの間の対応関係にしたがってランダムアクセスプリアンブルを示してよい。ＵＥが第１の情報をデスクランブルするとき、ＵＥは、基地局によって使用される無線ネットワーク一時識別子を取得し得、これにより、ＵＥは、無線ネットワーク一時識別子に対応するランダムアクセスプリアンブルを取得する。本発明の本実施形態では、無線ネットワーク一時識別子は、ランダムアクセス無線ネットワーク一時識別子であってよい。もちろん、無線ネットワーク一時識別子とランダムアクセスプリアンブルとが対応関係を有していることが確保されているならば、無線ネットワーク一時識別子は、任意のタイプの一時識別子であってよい。
【００９５】
本発明のいくつかの実施形態において、ランダムアクセスプリアンブルに対応する第１の情報を受信する段階３０２の後に、本発明の本実施形態において提供される情報伝送方法は、さらに以下の段階を備える。
Ｆ１．第２の情報を送信する段階、制御情報を受信する段階、またはＵＥ固有情報を受信する段階のうちの少なくとも１つを実行する。
Ｆ２．無線ネットワーク一時識別子にしたがって、第２の情報、制御チャネル、またはＵＥ固有情報のうちの少なくとも１つをスクランブルまたはデスクランブルする。ここで、無線ネットワーク一時識別子は、ランダムアクセスプリアンブルにしたがって決定される。
【００９６】
基地局が第１の情報をＵＥに送信した後、第１の情報は、第２の情報の伝送に使用されるリソース割り当て情報を含むので、第２の情報は、第１の情報に対する応答に関する情報である。ＵＥは、第２の情報の伝送に使用され、かつ、第１の情報に含まれるリソース割り当て情報にしたがって、第２の情報を基地局に送信する。基地局がＵＥによって送信された第２の情報を受信するとき、基地局は、無線ネットワーク一時識別子にしたがって第２の情報をデスクランブルする。加えて、制御チャネルまたはＵＥ固有情報をＵＥに送信する前に、基地局は、無線ネットワーク一時識別子にしたがって制御チャネルまたはＵＥ固有情報をスクランブルする。本発明の本実施形態では、無線ネットワーク一時識別子は、ランダムアクセス無線ネットワーク一時識別子であってよい。もちろん、無線ネットワーク一時識別子とランダムアクセスプリアンブルとが対応関係を有していることが確保されているならば、無線ネットワーク一時識別子は、任意のタイプの一時識別子であってよい。本発明の本実施形態において、ＵＥ固有情報は具体的に、競合解決メッセージであってよい。従来技術では、競合解決メッセージをスクランブルするために、ＴＣ−ＲＮＴＩの使用が必要である。この場合、従来技術によれば、基地局によって生成される第１の情報は、ＴＣ−ＲＮＴＩを保持する必要がある。しかしながら、本発明の本実施形態では、基地局によって生成される第１の情報は、ＴＣ−ＲＮＴＩを保持しない。本発明の本実施形態では、基地局は、無線ネットワーク一時識別子をスクランブリングコードとして使用する。基地局はランダムアクセスプリアンブルの識別子を第１の情報に追加するのではなく、第１の情報を使用することによって無線ネットワーク一時識別子をスクランブリングコードとして使用し、これにより、無線ネットワーク一時識別子とランダムアクセスプリアンブルとの間の対応関係にしたがってランダムアクセスプリアンブルを示す。ＵＥが第１の情報をデスクランブルするとき、ＵＥが、基地局によって使用される無線ネットワーク一時識別子を取得してよい。無線ネットワーク一時識別子はまた、競合解決メッセージをデスクランブルするためにＵＥによって使用されてよく、これにより、第１の情報がスクランブリングコードを保持するときに生じるオーバーヘッドが低減される。あるいは、基地局は、無線ネットワーク一時識別子を使用することによって制御チャネルまたはＵＥ固有情報をスクランブルし、ＵＥは、無線ネットワーク一時識別子を使用することによって制御チャネルまたはＵＥ固有情報をデスクランブルする。無線ネットワーク一時識別子は、ランダムアクセスプリアンブルにしたがって決定される。競合解決メッセージまたは制御チャネルをスクランブルするために使用される無線ネットワーク一時識別子は、第１の情報をスクランブルするために使用される無線ネットワーク一時識別子と同じであってよいし、またはそれとは異なっていてもよい。
【００９７】
前述の実施形態における本発明の説明から分かるように、まず、ＵＥは、ランダムアクセスプリアンブルを送信し、次に、ＵＥは、ランダムアクセスプリアンブルに対応する第１の情報を受信する。第１の情報は、ランダムアクセスプリアンブルに対するランダムアクセス応答に関する情報である。第１の情報は、タイミングアドバンス指示情報、制御チャネルの伝送に使用される狭帯域リソースの指示情報、制御チャネルの伝送に使用されるサブフレームの指示情報、制御チャネルの伝送に使用される復調基準信号スクランブリングシーケンス初期化パラメータの指示情報、制御チャネルの伝送に使用されるカバレッジ拡張レベルの指示情報、または、第２の情報の伝送に使用されるリソース割り当て情報のうちの少なくとも１つを含む。第２の情報は、第１の情報に対する応答に関する情報である。最後に、第１の情報はＵＥに送信される。第１の情報は、ランダムアクセス応答に関する情報であり、第１の情報に含まれる指示情報は、より少ない指示ビットを有する。したがって、第１の情報は、より簡略化された構造を有し、これにより、比較的少ないリソースを使用することによってアクセス応答情報が伝送され得、それによって、ランダムアクセス応答に関する情報の伝送のリソース利用効率を向上させ、ユーザ機器によるチャネル検出の電力消費オーバーヘッドを低減する。
【００９８】
本実施形態によれば、ランダムアクセス応答に関する情報の伝送が、説明のための一例として使用される。ランダムアクセス応答に関する情報は、前述の第１の情報であってよい。ランダムアクセス応答に関する情報は、受信されたランダムアクセスプリアンブルに対する応答である。ランダムアクセス応答に関する情報は、制御チャネル上に保持される制御情報、および／または、データチャネル上に保持されるデータ情報であってよい。したがって、ランダムアクセス応答に関する情報は、ダウンリンク制御情報に含まれてよく、ダウンリンク制御チャネルを使用することによって伝送されてよい。あるいは、ランダムアクセス応答に関する情報は、ダウンリンクデータ情報に含まれてよく、ダウンリンクデータチャネルを使用することによって伝送されてよい。具体的には、ランダムアクセス応答に関する情報は、ランダムアクセス応答をスケジューリングするためのダウンリンク制御情報、および／またはランダムアクセス応答であってよい。
【００９９】
本発明の本実施形態において、ランダムアクセス応答に関する情報は、ランダムアクセスプリアンブルの指示情報を含んでよい。ランダムアクセスプリアンブルの指示情報は、簡略化されたランダムアクセスプリアンブル識別子（英文正式名称：Ｒａｎｄｏｍ  Ａｃｃｅｓｓ  Ｐｒｅａｍｂｌｅ  ＩＤｅｎｔｉｔｆｉｅｒ、英語頭字語：ＲＡＰＩＤ）であってよい。ＲＡＰＩＤは、ランダムアクセスプロセスにおいて、ＵＥによってランダムに選択されるランダムアクセスプリアンブル（英語名称：ｐｒｅａｍｂｌｅ）を識別するために使用される。既存のＬＴＥプロトコルは、１つの物理ランダムアクセスチャネル（英文正式名称：Ｐｈｙｓｉｃａｌ  Ｒａｎｄｏｍ  Ａｃｃｅｓｓ  ＣＨａｎｎｅｌ、英語頭字語：ＰＲＡＣＨ）リソース上に６４個のランダムアクセスプリアンブルが存在することをサポートし、したがって、それは、ＲＡＰＩＤが６ビットを必要とすることを示す。カバレッジ拡張シナリオでは、カバレッジ拡張レベル（例えば、カバレッジ拡張レベルとは、反復レベルまたは反復数である）とランダムアクセスリソースとは、一対一のマッピング関係を有する。前述の対応関係が、プリアンブルグループとカバレッジ拡張レベルとの間の一対一の対応関係に基づいている場合、それは、ＲＡＰＩＤのビット数が低減され得ることを示す。例えば、６４個のｐｒｅａｍｂｌｅが存在し、合計で３つのカバレッジ拡張レベルをサポートする。３つのレベルのｐｒｅａｍｂｌｅ数は、おおよそ均等に分割され、各レベルにつき２１または２２のｐｒｅａｍｂｌｅがあってよい。この場合、ｐｒｅａｍｂｌｅを示すために、５ビット（英語：ｂｉｔ）だけを使用する必要がある。さらに、少数のｐｒｅａｍｂｌｅがレベルに割り当てられる場合、ｐｒｅａｍｂｌｅを示すために、より少数のビットが必要であり得る。レベルに割り当てられるｐｒｅａｍｂｌｅ数がｎｕｍ＿ｐｒｅａｍｂｌｅと表される場合、ＲＡＰＩＤを示すために必要であり、かつ、ＰＲＡＣＨグループに対応するビット数は、
【数１】
2020036343.tif 000003
であり得る。式中の括弧は端数の切り上げを示す。
【０１００】
加えて、基地局はさらに、受信されたランダムアクセスプリアンブルを暗黙的に示してよく、ランダムアクセス応答に関する情報において、ＲＡＰＩＤを示すためにビットは使用されないか、または数ビットしか使用されない。例えば、従来技術においては、ランダムアクセス応答には無線ネットワーク一時識別子が使用される。無線ネットワーク一時識別子は、時間インデックス（すなわち、サブフレーム数）と、ランダムアクセスプリアンブルの伝送に使用される周波数リソースインデックスとにしたがって決定される。したがって、無線ネットワーク一時識別子は、時間インデックスおよび周波数リソースインデックスを暗黙的に表し得る。同様に、無線ネットワーク一時識別子がランダムアクセスプリアンブルのインデックスにしたがって決定される場合、無線ネットワーク一時識別子は、ランダムアクセスプリアンブルまたはランダムアクセスプリアンブル数を暗黙的に示し得る。例えば、６４個の無線ネットワーク一時識別子があると仮定すると、無線ネットワーク一時識別子の各々は１つのランダムアクセスプリアンブルに対応し、ランダムアクセス応答をスクランブルするために使用される無線ネットワーク一時識別子は、ランダムアクセスプリアンブルの識別子を示してよい。別の例としては、３２個の無線ネットワーク一時識別子があると仮定すると、無線ネットワーク一時識別子の各々は２つのランダムアクセスプリアンブルに対応し、ランダムアクセス応答に関する情報において、前述の２つのランダムアクセスプリアンブルのうちの１つをさらに示すために（または区別するために）１ビットがさらに使用されてよい。例えば、ランダムアクセスプリアンブルと関連付けられる無線ネットワーク一時識別子は、予め決定されてよく、またはシグナリング構成によって構成されてよい。無線ネットワーク一時識別子とランダムアクセスプリアンブルとの間の対応関係は、予め決定されてよく、またはシグナリング構成によって構成されてよい。例えば、無線ネットワーク一時識別子のセットまたは範囲が予め決定され、無線ネットワーク一時識別子のセットまたは範囲内の各無線ネットワーク一時識別子は、決定されたランダムアクセスプリアンブルと関連付けられる。例えば、無線ネットワーク一時識別子とランダムアクセスプリアンブルのインデックスとの間の関数関係が予め決定されてよい。例えば、ＲＮＴＩ＝ｆｕｎｃｔｉｏｎ（ｔ＿ｉｄ，ｆ＿ｉｄ，ｐｒｅａｍｂｌｅ＿ｉｄ）、または、ＲＮＴＩ＝ｆｕｎｃｔｉｏｎ（ｐｒｅａｍｂｌｅ＿ｉｄ）といった関数定義方式が使用されてよい。本明細書において、ｔ＿ｉｄは、（１または複数の無線フレーム内の）ＰＲＡＣＨ時間リソースのインデックスであり、ｆ＿ｉｄは、ＰＲＡＣＨ周波数リソースのインデックスであり、ｐｒｅａｍｂｌｅ＿ｉｄは、ランダムアクセスプリアンブルのインデックスである。具体的には、関数関係は、ＲＮＴＩ＝１＋ｔ＿ｉｄ＋Ｎ×ｆ＿ｉｄ＋Ｍ×ｐｒｅａｍｂｌｅ＿ｉｄであってよく、式中、ＮおよびＭは、予め固定された定数である。例えば、Ｎは、時間リソースのインデックス数であり、Ｍは、ＰＲＡＣＨ周波数リソースのインデックス数とＰＲＡＣＨ時間リソースのインデックス数との積である。
【０１０１】
時間リソースについて、１単位が１個のサブフレームである場合、１つの無線フレームはプリアンブルを送信するのに最大１０個のサブフレームを有する。すなわち、Ｎ＝１０である。ＰＲＡＣＨ時間リソースについて、１単位がＸ個のサブフレームである場合、１つの無線フレームはプリアンブルを送信するのに最大でｃｅｉｌ（１０／Ｘ）個の時間リソースを有する、すなわち、Ｎ＝ｃｅｉｌ（１０／Ｘ）である。式中、ｃｅｉｌは、端数切り上げを示す。ＰＲＡＣＨ時間リソースがＹ個の無線フレームにおけるリソースであり、ＰＲＡＣＨ時間リソースについて、１単位がＸ個のサブフレームである場合、Ｙ個の無線フレームは、プリアンブルを送信するのに最大でｃｅｉｌ（Ｙ×１０／Ｘ）個の時間リソースを有する、すなわち、Ｎ＝ｃｅｉｌ（Ｙ×１０／Ｘ）である。例えば、カバレッジ拡張シナリオにおいて、ｐｒｅａｍｂｌｅの送信は反復される必要がある。したがって、同じ期間内でのランダムアクセス機会ははるかに少ない。例えば、同様に、１０ｍｓのサブフレームについて、各サブフレームは、既存のプロトコルにしたがって、最善のランダムアクセスリソースを有してよい、すなわち、１０回のランダムアクセス機会がある。しかしながら、カバレッジ拡張シナリオにおいて、たとえ反復数が２回の場合であっても、最大５回のランダムアクセス機会がある。これにより、ランダムアクセス機会数が低減され得る、すなわち、無線ネットワーク一時識別子数が低減され得る。
【０１０２】
ＰＲＡＣＨ周波数リソースのインデックスおよびＰＲＡＣＨ周波数リソースのインデックス数は、カバレッジ拡張レベル毎に個々に付番されてよい。例えば、カバレッジ拡張レベル１の場合、２つのＰＲＡＣＨ周波数リソースがあり、インデックスは個別に｛０，１｝であり、ＰＲＡＣＨ周波数リソースのインデックス数は２である。カバレッジ拡張レベル２の場合、３つのＰＲＡＣＨ周波数リソースがあり、インデックスは個別に｛０，１，２｝であり、ＰＲＡＣＨ周波数リソースのインデックス数は３である。複数のカバレッジ拡張レベルの場合、ＰＲＡＣＨ周波数リソースのインデックスおよびＰＲＡＣＨ周波数リソースのインデックス数は、合同で付番されてよい。例えば、カバレッジ拡張レベル１の場合、２つのＰＲＡＣＨ周波数リソースがあり、インデックスは個別に｛０，１｝である。カバレッジ拡張レベル２の場合、３つのＰＲＡＣＨ周波数リソースがあり、インデックスは個別に｛２，３，４｝である。ＰＲＡＣＨ周波数リソースのインデックス数は５である。別の例では、ＰＲＡＣＨ周波数リソースのインデックス数は、周波数分割複信システムおよび時分割複信システムによって個々に決定されてよく、または、周波数分割複信システムおよび時分割複信システムにおけるＰＲＡＣＨ周波数リソースのより大きなインデックス数にしたがって決定されてよい。例えば、周波数分割複信システムにおいては最大Ｆ１個のＰＲＡＣＨ周波数リソースがあり、時分割複信システムにおいては最大Ｆ２個のＰＲＡＣＨ周波数リソースがある。この場合、ＰＲＡＣＨ周波数リソースのインデックス数は、Ｍａｘ（Ｆ１，Ｆ２）に等しい。式中、Ｍａｘは、最大値関数であり、Ｆ１およびＦ２は定数である。
【０１０３】
本発明のいくつかの実施形態において、ランダムアクセスプリアンブルの指示情報は、基地局がランダムアクセスプリアンブルを検出したか否かを示すために使用される。例えば、ランダムアクセスプリアンブルの指示情報を示すために、ビットマップが使用されてよい。それに応じて、ビットストリングの各ビットは、基地局が１または複数のランダムアクセスプリアンブルを受信したか否かを示す。例えば、１つのＰＲＡＣＨリソースグループは１６個のプリアンブルを含み、基地局がランダムアクセスプリアンブルを検出したか否かをビットマップ指示方法にしたがって示すために、１６ビットが使用されてよい。それに応じて、各ビットは、１つのランダムアクセスプリアンブルを示す。
【０１０４】
本発明のいくつかの実施形態において、ランダムアクセス応答に関する情報は、一時セル無線ネットワーク一時識別子（英文正式名称：Ｔｅｍｐｏｒａｒｙ  Ｃｅｌｌ−Ｒａｄｉｏ  Ｎｅｔｗｏｒｋ  Ｔｅｍｐｏｒａｒｙ  Ｉｄｅｎｔｉｆｉｅｒ、英語頭字語：ＴＣ−ＲＮＴＩ）の指示情報を含んでよい。従来技術では、ＴＣ−ＲＮＴＩは１６ビットを有する。本発明の本実施形態において、ＴＣ−ＲＮＴＩは、ランダムアクセス応答に関する情報内で伝送されなくてよい。これにより、１６ｂｉｔが節約され得る。あるいは、ＴＣ−ＲＮＴＩ内のいくつかのビットが、ランダムアクセス応答に関する情報内で伝送される。例えば、ＴＣ−ＲＮＴＩ内の８ビットは、ランダムアクセス応答に関する情報内で伝送される。これにより、８ｂｉｔが節約され得る。しかしながら、既存のプロトコルにしたがって、ランダムアクセスプロセスにおけるメッセージ３（すなわち、ランダムアクセス応答に関する情報に対するＵＥの応答メッセージ、すなわち、前述の実施形態の第２の情報と等価なメッセージ）およびメッセージ５（すなわち、競合衝突解決メッセージ、および／または競合衝突解決メッセージをスケジューリングするための制御チャネル）の両方が、ＴＣ−ＲＮＴＩのスクランブルまたはデスクランブルに基づいて伝送される。ＴＣ−ＲＮＴＩがランダムアクセス応答に関する情報内で伝送されない場合、メッセージ３およびメッセージ４の伝送のために新しいスクランブリングコードが定義される必要がある。本発明の本実施形態は、メッセージ３およびメッセージ４をスクランブルまたはデスクランブルするために、ランダムアクセス応答に関する情報をスクランブルするために使用される無線ネットワーク一時識別子を使用するという方式を提供する。メッセージ３およびメッセージ４の伝送に使用されるスクランブリングコードは全て、新しく定義された無線ネットワーク一時識別子を使用する。無線ネットワーク一時識別子は、ランダムアクセスプリアンブルにしたがって決定される（例えば、ルートまたはプリアンブルのインデックスにしたがって決定され、具体的な決定方法は前述の実施形態において説明されている）。あるいは、ランダムアクセス応答に関する情報は、既存のＲＡ−ＲＮＴＩを使用する（すなわち、ＲＡ−ＲＮＴＩはランダムアクセスプリアンブルにしたがって決定されるのではない）。新しいスクランブリングコードがメッセージ３およびメッセージ４の伝送に使用される。新しいスクランブリングコードは、ランダムアクセスプリアンブルにしたがって決定される。スクランブリングコードを決定するための方法は、ランダムアクセスプリアンブルにしたがって無線ネットワーク一時識別子を決定するための前述の方法と同様である。あるいは、ランダムアクセス応答に関する情報であるメッセージ３およびメッセージ４の両方は、新しく定義された無線ネットワーク一時識別子を使用することによってスクランブルされる。したがって、本発明の本実施形態において、ランダムアクセス応答に関する情報はＴＣ−ＲＮＴＩを保持する必要はなく、それによって、ランダムアクセス応答に関する情報の負荷を低減する。
【０１０５】
メッセージ２およびメッセージ４がスクランブリングコードを使用することによって区別され得ない場合、メッセージ２およびメッセージ４は周波数ドメインにおいて区別されてよいことに留意すべきである。例えば、メッセージ２およびメッセージ４は異なる狭帯域においてスケジューリングされる。
【０１０６】
本発明のいくつかの実施形態において、ランダムアクセス応答に関する情報は、第２の情報の周波数ホッピング指示情報を含んでよい。周波数ホッピング切り替え指示または周波数ホッピングパターン指示のために、０、１、または２ビットが使用される。周波数ホッピング方式が予め定義されているか、または周波数ホッピングがサポートされていない場合、本明細書における周波数ホッピング指示は省略されてよい。そうでない場合、周波数ホッピングがサポートされているか否かを示すために１ビットが使用されてよい。あるいは、周波数ホッピングパターンを示すために２ビットが使用されてよい。例えば、００は周波数ホッピングが実行されないことを示し、０１は周波数ホッピングが実行され、周波数ホッピングの粒度がＸ１であることを示す。１０は周波数ホッピングが実行され、周波数ホッピングの粒度がＸ２であることを示す。１１は周波数ホッピングが実行され、周波数ホッピングの粒度がＸ３であることを示す。あるいは、２ビットによるいくつかの状態は予備であってよい。本明細書における周波数ホッピングの粒度は、一周波数帯域から別の周波数帯域に周波数ホッピングが実行される時間間隔であり、具体的に周波数チューニング時間を含んでもよいし、または周波数チューニング時間を含まなくてもよい。例えば、００は周波数ホッピングが実行されないことを示し、０１は周波数ホッピングパターン１を示し、１０は周波数ホッピングパターン２を示し、１１は周波数ホッピングパターン３を示す。周波数ホッピングパターンは、周波数ホッピングの間隔を定義し、周波数ホッピングの周波数リソースロケーションを決定する。
【０１０７】
本発明のいくつかの実施形態において、ランダムアクセス応答に関する情報は、第２の情報の伝送に使用されるリソース割り当て情報を含んでよい。
【０１０８】
方法１：狭帯域リソースを示し、狭帯域内のリソース割り当てを示す。
【０１０９】
狭帯域リソースは搬送波上の特定の周波数幅を占有する周波数リソースである。例えば、狭帯域は、１または複数の物理リソースブロック（英文正式名称：Ｐｈｙｓｉｃａｌ  Ｒｅｓｏｕｒｃｅ  Ｂｌｏｃｋ、英語頭字語：ＰＲＢ）もしくはリソースブロックを含んでよく、または、１または複数の副搬送波を含んでよい。あるいは、狭帯域の周波数リソース幅および周波数リソースロケーションが予め決定されるか、または予め構成される。通常、狭帯域リソースによって占有される周波数幅は、ＵＥによって低複雑性または低コストでサポートされ得る帯域幅を超えない。
【０１１０】
ランダムアクセス応答に関する情報は、具体的な狭帯域リソースのみを示してよい。もちろん、狭帯域リソースは、デフォルトルールにしたがって決定されてよい。この場合、ランダムアクセス応答に関する情報は、狭帯域リソースを示す必要はない。例えば、第２の情報の狭帯域リソースがＰＲＡＣＨ狭帯域リソースにしたがって決定され（例えば、第２の情報の狭帯域リソースは、ＰＲＡＣＨ狭帯域リソースと同じである）、または、特定のダウンリンクチャネル狭帯域リソースおよび複信間隔にしたがって決定される。
【０１１１】
狭帯域リソースが決定された後、さらに、狭帯域内のリソース割り当てが決定される必要がある。ランダムアクセス応答に関する情報は、より具体的に狭帯域内のリソース割り当てを示してよい。第２の情報の伝送が全ての狭帯域リソースを占有するか、または狭帯域リソースの指定されたリソースブロックのみを占有する場合、ランダムアクセス応答に関する情報は、狭帯域内のリソース割り当てを示す必要はない。第２の情報の伝送が１個のＰＲＢだけを占有する場合、狭帯域内の具体的なリソースブロックを示すために３ビットが使用されてよい。
【０１１２】
例えば、ＵＥは、同時に最大Ｎ個のＰＲＢをサポートできる。Ｎ＝６の場合、ビットマップ指示方式における指示に６ビットが使用されてよい。指示のビット数を低減すべく、Ｎの値が制限されてよい。例えば、最大のＮは２または３に等しく、この場合、指示に３ビットまたは４ビットが使用されてよい。例えば、狭帯域が６つのＰＲＢを含むと仮定すると、ＰＲＢのインデックスは個別に、ＰＲＢ  ｎ、ＰＲＢ  ｎ＋１、ＰＲＢ  ｎ＋２、ＰＲＢ  ｎ＋３、ＰＲＢ  ｎ＋４、およびＰＲＢ  ｎ＋５である。指示方法は、以下の表１において示される。
【表１】
2020036343.tif 000004
【０１１３】
方法２：開始ＰＲＢと、ＵＥの占有されたＰＲＢ数とを示す。
【０１１４】
ＵＥは、同時に最大Ｎ個のＰＲＢをサポートできる。Ｎ＝６の場合、システム帯域幅が２０ＭＨｚならば、（９５×６＋５＋４＋３＋２＋１）の可能性がある。したがって、リソースを示すために１０ビットが必要である。例えば、帯域幅が２０ＭＨｚならば、１００個のＰＲＢがあり、０から９９まで個別に付番される。この場合、リソースの開始ポイントが、０から９４まで付番されたＰＲＢである場合、割り当てられるリソースは、０個のＰＲＢ、１個のＰＲＢ、２個のＰＲＢ、３個のＰＲＢ、４個のＰＲＢ、または５個のＰＲＢを有してよい。すなわち、６つのケースがある。したがって、９５×６が計算される。開始位置が９５に付番されている場合、長さに対して、０個のＰＲＢ、１個のＰＲＢ、２個のＰＲＢ、３個のＰＲＢ、および４個のＰＲＢの５つのケースのみがある。したがって、５が加算される。残りは類推されてよい。開始番号が９６のとき、４つのケースのみがある。開始番号が９７のとき、３つのケースのみがある。開始番号が９８のとき、２つのケースのみがある。開始番号が９９のとき、１つのケースのみがある。以下の表２は、種々のシステム帯域幅と必要なビット数との間の関係を示す。
【表２】
2020036343.tif 000005
【０１１５】
本発明のいくつかの実施形態において、ランダムアクセス応答に関する情報は、第２の情報のカバレッジ拡張伝送指示情報を含んでよい。第２の情報のカバレッジ拡張伝送指示情報は、第２の情報の伝送の反復レベルまたは反復数であってよい。例えば、第２の情報のカバレッジ拡張伝送情報を示すために、０から２ビットが使用されてよい。第２の情報の伝送の反復レベル（または反復数）が第２の情報の前チャネルの反復レベル（または反復数）にしたがって完全に決定される場合、ランダムアクセス応答に関する情報は、第２の情報の伝送の反復レベル（または反復数）を示す必要はない。第２の情報の前チャネルは、ランダムアクセスプリアンブルまたは第１の情報であってよい。
【０１１６】
第２の情報の伝送の反復レベル（または反復数）が第２の情報の前チャネルの反復レベル（または反復数）にしたがって決定されない場合、ランダムアクセス応答に関する情報は、第２の情報の伝送の反復レベル（または反復数）を示す必要がある。第２の情報の反復数は、反復数Ａおよび反復数Ｂを加算することによって取得されてよい。反復数Ａは、カバレッジ拡張レベルにしたがって決定される反復数、上位層シグナリング構成によって構成される反復数、または予め決定された反復数である。反復数Ｂは、ランダムアクセス応答に関する情報によって示される反復数である。したがって、ランダムアクセス応答に関する情報によって示される反復数Ｂは、反復数Ａを調整したものであるとみなされてよい。もちろん、前述の反復数をバンドリングされた伝送サイズで置き換えることも、本発明の内容である。ランダムアクセス応答に関する情報において、第２の情報の反復レベル（または反復数）を示すために、１、２、または３ビットが使用されてよい。
【０１１７】
本発明のいくつかの実施形態において、ランダムアクセス応答に関する情報は、第２の情報を送信するためにＵＥによって使用される送信電力制御指示情報を含んでよい。第２の情報の伝送に電力制御が不要である場合、第２の情報の送信電力制御指示情報は不要である。そうでない場合、第２の情報の送信電力制御指示情報を示すために、１から３ビットが使用されてよい。第２の情報の送信電力制御指示情報および第２の情報のカバレッジ拡張伝送指示情報は同じフィールドであってよいことに留意すべきである。非カバレッジ拡張中、当該フィールドは、第２の情報の送信電力制御指示情報として機能する。カバレッジ拡張中、当該フィールドは、第２の情報のカバレッジ拡張伝送指示情報として機能する。
【０１１８】
本発明のいくつかの実施形態において、ランダムアクセス応答に関する情報は、第２の情報を送信するためにＵＥによって使用される変調および符号化方法指示情報を含んでよい。第２の情報の伝送に使用される変調および符号化方法は、予め定義されてよい。この場合、第１の情報は、第２の情報の伝送に使用される変調および符号化方法指示情報を含まない。あるいは、第２の情報の伝送に使用される変調および符号化方法を示すのに、１から４ビットがさらに使用されてよい。
【０１１９】
本発明のいくつかの実施形態において、ランダムアクセス応答に関する情報は、タイミングアドバンス指示情報を含んでよい。タイミングアドバンス指示情報は、０から１１ビットを占有する。タイミングアドバンス指示の粒度は増大されてよく、タイミングアドバンスを示すためのビット数が低減されてよい。例えば、現在のタイミングアドバンスフィールド長は１１ｂｉｔであり、０から１２８２までの考えられるタイミング調整値を識別するために使用される。フィールドのｂｉｔが、例えば、５ｂｉｔに低減された場合、３２個の考えられるタイミングアドバンス調整値だけが識別され得る。元々の１２８２個の値と比較すると、タイミング調整の粒度が増大される。例えば、同じタイミングアドバンス調整範囲について、分割によって１２８３個のセグメントが元々取得され得、具体的なタイミングアドバンスを示すために１１１ビットが個別に使用される。しかしながら、現在、分割によって３２個のセグメントだけが取得されているので、具体的なタイミングアドバンスを示すために５ビットが使用される。
【０１２０】
本発明のいくつかの実施形態において、ランダムアクセス応答に関する情報は、ランダムアクセスチャネルのロールバック指示情報を含んでよい。ロールバック指示がなくてよいか、または、ロールバック指示を示すために１から４ビットが使用される。
【０１２１】
本発明のいくつかの実施形態において、ランダムアクセス応答に関する情報は、制御チャネルの伝送に使用される狭帯域リソースの指示情報を含んでよい。本発明において、制御チャネルは、競合解決メッセージをスケジューリングするための制御チャネル、またはＵＥ固有制御チャネルであってよい。例えば、制御チャネルの伝送に使用される狭帯域リソースの指示を示すために、ｃｅｉｌ（ｌｏｇ２（ｎａｒｒｏｗｂａｎｄ＿ｎｕｍｂｅｒ）ビットまたは４ビットが使用される。本明細書において、ｎａｒｒｏｗｂａｎｄ＿ｎｕｍｂｅｒとは、ネットワークによって構成される狭帯域数である。
【０１２２】
本発明のいくつかの実施形態において、ランダムアクセス応答に関する情報は、制御チャネルの制御チャネル候補セットの指示情報を含んでよい。例えば、競合解決メッセージをスケジューリングするための制御チャネルの制御チャネル候補セットを示すために、Ｘｉビットが使用される。ここで、Ｘｉは定数である。
【０１２３】
本発明のいくつかの実施形態において、ランダムアクセス応答に関する情報は、制御チャネルの伝送に使用されるサブフレームの指示情報を含んでよい。制御チャネルの伝送に使用されるサブフレームの構成は、開始サブフレーム構成、反復伝送によって占有されるサブフレーム数、またはロケーション指示のうちの１または複数を含む。
【０１２４】
本発明のいくつかの実施形態において、ランダムアクセス応答に関する情報は、ＵＥ固有メッセージの伝送のための開始シンボル指示情報を含んでよい。特に、ＵＥ固有メッセージは、メッセージ４、または、メッセージ４をスケジューリングするための制御チャネルである。ＵＥ固有メッセージの伝送のための開始シンボルが固定的に設定されてよく、または、システム情報が、ＵＥ固有メッセージの伝送のための開始シンボルを示すために固定的に使用されてよい。典型的には、ＵＥ固有メッセージの開始シンボルを示すために２ビットが使用される。
【０１２５】
本発明のいくつかの実施形態において、ランダムアクセス応答に関する情報は、制御チャネルの制御チャネル構成セット識別子指示情報を含んでよい。制御チャネルセット伝送構成識別子（英文正式名称：Ｉｄｅｎｔｉｔｙ、英語頭字語：ＩＤ）が固定的に０に設定されてよい。あるいは、制御チャネルセット伝送構成ＩＤを示すために１ビットが使用される。
【０１２６】
本発明のいくつかの実施形態において、ランダムアクセス応答に関する情報は、制御チャネルの伝送に使用される伝送タイプの指示情報を含んでよい。制御チャネルの伝送タイプは、固定的に設定されてよい。例えば、伝送タイプは、集中伝送または分散伝送への固定された設定である。あるいは、伝送タイプが集中伝送なのか、分散伝送なのかを示すために１ビットが使用される。
【０１２７】
本発明のいくつかの実施形態において、ランダムアクセス応答に関する情報は、制御チャネルの伝送に使用される復調基準信号スクランブリングシーケンス初期化パラメータの指示情報を含んでよい。制御チャネルの伝送に使用される復調基準信号スクランブリングシーケンス初期化パラメータを示すために、９ビットまたはそれより少ないビットが使用されてよい。
【０１２８】
本発明のいくつかの実施形態において、ランダムアクセス応答に関する情報は、物理アップリンク制御チャネルリソースの開始オフセット指示情報を含んでよい。
【０１２９】
本発明のいくつかの実施形態において、ランダムアクセス応答に関する情報は、制御チャネルの周波数ホッピング指示情報を含んでよい。例えば、周波数ホッピングが実行されるか否かを示すために、または周波数ホッピングパラメータ指示を示すために、０から２ビットが使用される。
【０１３０】
本発明のいくつかの実施形態において、ランダムアクセス応答に関する情報は、制御チャネルの伝送に使用されるカバレッジ拡張レベルの指示情報を含んでよい。任意選択で、制御チャネルの伝送に使用されるカバレッジ拡張レベル（例えば、反復レベル）または反復数を示すために、０から３ビットが使用されてよい。制御チャネルの伝送の反復レベル（または反復数）が、制御チャネルの伝送前のチャネルの反復レベル（または反復数）にしたがって決定される場合、ランダムアクセス応答は、制御チャネルの伝送の反復レベル（または反復数）を示す必要はない。制御チャネルの伝送前のチャネルは、ランダムアクセスプリアンブル、またはランダムアクセス応答をスケジューリングするための制御チャネル、またはランダムアクセス応答を保持するためのチャネル、または第２の情報であってよい。そうでない場合、制御チャネルの伝送の反復レベル（または反復数）を示すために、１、２、または３ビットが使用されてよい。
【０１３１】
本発明のいくつかの実施形態において、ランダムアクセス応答に関する情報は、ダウンリンク制御チャネルのフォーマット指示情報、またはダウンリンクデータチャネルのフォーマット指示情報を含んでよい。例えば、フォーマット指示情報は、現在決定された情報のフォーマットを示すために使用され、例えば、フォーマット指示情報は、現在決定された情報がスケジューリング情報なのか、ランダムアクセス応答に関する情報なのかを示し、および／または、フォーマット指示情報は、第１の情報がアップリンクグラント情報なのか、ダウンリンクグラント情報なのかを示す。
【０１３２】
本発明のいくつかの実施形態において、ランダムアクセス応答に関する情報は、第２の情報を送信するためにＵＥによって使用されるアップリンク遅延指示情報を含んでよい。アップリンク遅延指示情報は、０から１ビットを占有してよい。アップリンク遅延がない場合、ランダムアクセス応答に関する情報は、アップリンク遅延指示情報を有する必要はない。
【０１３３】
本発明のいくつかの実施形態において、ランダムアクセス応答に関する情報は、ＵＥがチャネル状態情報をレポートするか否かを示す指示情報を含んでよい。チャネル状態情報をレポートするか否かを示す指示情報は、０から１ビットを占有してよい。例えば、チャネル状態情報が要求される必要はないとき、ランダムアクセス応答に関する情報は、アップリンク遅延指示情報を含む必要はない。
【０１３４】
前述の実施形態において、１つの指示情報の指示ビットが０ビットである場合、それは、第１の情報が当該情報の指示を含まないということを意味することに留意すべきである。具体的には、第１の情報は、複数のタイプの指示情報を含んでよい。基地局は、１または複数の特定のフォーマットで第１の情報を送信し、ＵＥは、１または複数の特定のフォーマットで第１の情報を受信する。
【０１３５】
加えて、ダウンリンク制御情報がランダムアクセス応答に関する情報を保持するか否かを基地局が示してよいことに留意すべきである。例えば、カバレッジ拡張レベルのＰＲＡＣＨに対応するランダムアクセス応答に関する情報が、ダウンリンク制御情報を使用することによって保持されるか否かを、基地局は、各カバレッジ拡張レベルに対応するＰＲＡＣＨリソース構成において示す。あるいは、ダウンリンク制御情報がランダムアクセス応答に関する情報を保持するか否かが、暗黙的な方式にしたがって決定される。例えば、カバレッジ拡張（例えば、反復伝送）レベルＸについて、ダウンリンク制御情報は、ランダムアクセス応答に関する情報を保持する。例えば、カバレッジ拡張レベルＹについて、ダウンリンク制御情報は、ランダムアクセス応答に関する情報を保持する。通常、カバレッジ拡張レベルＸが必要とする反復数は、カバレッジ拡張レベルＹが必要とする反復数より大きい。
【０１３６】
前述の方法の実施形態の各々について、説明を容易にするために、方法の実施形態は全て一連のアクションの組み合わせとして説明されるが、本発明にしたがって、いくつかの段階は別の順序で使用されてよく、または同時に実行されてよいので、本発明は、説明されたアクションの順序に限定されないことを当業者は認識すべきであることに留意すべきである。加えて、当業者はまた、本明細書において説明されている全ての実施形態は好適な実施形態であり、関連するアクションおよびモジュールは必ずしも本発明にとって必須というわけではないことを認識するべきである。
【０１３７】
本発明の実施形態の前述の解決手段をより良好に実装すべく、前述の解決手段を実装するための関連する装置を以下でさらに提供する。
【０１３８】
図４−ａを参照すると、本発明の一実施形態が基地局４００を提供する。基地局４００は、受信モジュール４０１、情報生成モジュール４０２、および送信モジュール４０３を備えてよい。
【０１３９】
受信モジュール４０１は、ユーザ機器ＵＥによって送信されたランダムアクセスプリアンブルを受信するよう構成される。
【０１４０】
情報生成モジュール４０２は、受信されたランダムアクセスプリアンブルにしたがって第１の情報を生成するよう構成される。ここで、第１の情報は、ランダムアクセスプリアンブルに対するランダムアクセス応答に関する情報であり、第１の情報は、タイミングアドバンス指示情報、制御チャネルの伝送に使用される狭帯域リソースの指示情報、制御チャネルの伝送に使用されるサブフレームの指示情報、制御チャネルの伝送に使用される復調基準信号スクランブリングシーケンス初期化パラメータの指示情報、制御チャネルの伝送に使用されるカバレッジ拡張レベルの指示情報、または、第１の情報に対する応答に関する情報である第２の情報の伝送に使用されるリソース割り当て情報のうちの少なくとも１つを含む。
【０１４１】
送信モジュール４０３は、第１の情報をＵＥに送信するよう構成される。
【０１４２】
本発明のいくつかの実施形態において、第１の情報はさらに、一時セル無線ネットワーク一時識別子の指示情報、ランダムアクセスプリアンブルの指示情報、ロールバック指示情報、または制御チャネルの制御チャネル候補セットの指示情報のうちの少なくとも１つを含む。
【０１４３】
本発明のいくつかの実施形態において、第１の情報はさらに、第２の情報の周波数ホッピング指示情報、第２の情報のカバレッジ拡張伝送指示情報、物理アップリンク制御チャネルリソースの開始オフセット指示情報、または制御チャネルの周波数ホッピング指示情報のうちの少なくとも１つを含む。
【０１４４】
本発明のいくつかの実施形態において、第１の情報はさらに、第２の情報を送信するためにＵＥによって使用される送信電力制御指示情報、第２の情報を送信するためにＵＥによって使用される変調および符号化指示情報、第２の情報を送信するためにＵＥによって使用されるアップリンク遅延指示情報、ＵＥがチャネル状態情報をレポートするか否かを示す指示情報、ＵＥ固有メッセージの伝送のための開始シンボル指示情報、制御チャネルの制御チャネル構成セット識別子指示情報、または、制御チャネルの伝送に使用される伝送タイプの指示情報のうちの少なくとも１つを含む。
【０１４５】
本発明のいくつかの実施形態において、第１の情報はさらに、ダウンリンク制御チャネルのフォーマット指示情報、またはダウンリンクデータチャネルのフォーマット指示情報を含む。
【０１４６】
本発明のいくつかの実施形態において、送信モジュールは具体的に、第１の情報をダウンリンク制御チャネルに追加し、当該ダウンリンク制御チャネルを使用することによって第１の情報をＵＥに送信する、または、第１の情報をダウンリンクデータチャネルに追加し、当該ダウンリンクデータチャネルを使用することによって第１の情報をＵＥに送信するよう構成される。
【０１４７】
本発明のいくつかの実施形態において、図４−ｂを参照すると、基地局４００はさらに、送信モジュール４０３が第１の情報をＵＥに送信する前に、無線ネットワーク一時識別子にしたがって第１の情報をスクランブルするよう構成されるスクランブリングモジュール４０４を備える。ここで、無線ネットワーク一時識別子は、ランダムアクセスプリアンブルにしたがって決定される。
【０１４８】
本発明のいくつかの実施形態において、図４−ｃを参照すると、基地局４００はさらに、送信モジュール４０３が第１の情報をＵＥに送信した後に、無線ネットワーク一時識別子にしたがって、第２の情報、制御チャネル、またはＵＥ固有情報のうちの少なくとも１つをスクランブルまたはデスクランブルするよう構成されるスクランブリング／デスクランブリングモジュール４０５を備える。ここで、無線ネットワーク一時識別子は、ランダムアクセスプリアンブルにしたがって決定される。
【０１４９】
前述の実施形態における本発明の説明から分かるように、まず、ＵＥによって送信されたランダムアクセスプリアンブルが受信され、次に、受信されたランダムアクセスプリアンブルにしたがって第１の情報が生成される。第１の情報は、ランダムアクセスプリアンブルに対するランダムアクセス応答に関する情報であり、第１の情報は、タイミングアドバンス指示情報、制御チャネルの伝送に使用される狭帯域リソースの指示情報、制御チャネルの伝送に使用されるサブフレームの指示情報、制御チャネルの伝送に使用される復調基準信号スクランブリングシーケンス初期化パラメータの指示情報、制御チャネルの伝送に使用されるカバレッジ拡張レベルの指示情報、または、第２の情報の伝送に使用されるリソース割り当て情報のうちの少なくとも１つを含む。第２の情報は、第１の情報に対する応答に関する情報である。最後に、第１の情報はＵＥに送信される。第１の情報は、ランダムアクセス応答に関する情報であり、第１の情報に含まれる前述の指示情報は、より少ない指示ビットを有する。したがって、第１の情報は、より簡略化された構造を有し、これにより、比較的少ないリソースを使用することによってアクセス応答情報が伝送され得、それによって、ランダムアクセス応答に関する情報の伝送のリソース利用効率を向上させ、ユーザ機器によるチャネル検出の電力消費オーバーヘッドを低減する。
【０１５０】
図５を参照すると、本発明の一実施形態がユーザ機器５００を提供する。ユーザ機器５００は、送信モジュール５０１、受信モジュール５０２、および取得モジュール５０３を含んでよい。
【０１５１】
送信モジュール５０１は、ランダムアクセスプリアンブルを基地局に送信するよう構成される。
【０１５２】
受信モジュール５０２は、ランダムアクセスプリアンブルに対応する第１の情報を受信するよう構成される。ここで、第１の情報は、ランダムアクセスプリアンブルに対する、基地局のランダムアクセス応答に関する情報である。
【０１５３】
取得モジュール５０３は、第１の情報から、タイミングアドバンス指示情報、制御チャネルの伝送に使用される狭帯域リソースの指示情報、制御チャネルの伝送に使用されるサブフレームの指示情報、制御チャネルの伝送に使用される復調基準信号スクランブリングシーケンス初期化パラメータの指示情報、制御チャネルの伝送に使用されるカバレッジ拡張レベルの指示情報、または、第１の情報に対する応答に関する情報である第２の情報の伝送に使用されるリソース割り当て情報のうちの少なくとも１つを取得するよう構成される。
【０１５４】
本発明のいくつかの実施形態において、第１の情報はさらに、一時セル無線ネットワーク一時識別子の指示情報、ランダムアクセスプリアンブルの指示情報、ロールバック指示情報、または制御チャネルの制御チャネル候補セットの指示情報のうちの少なくとも１つを含む。
【０１５５】
本発明のいくつかの実施形態において、第１の情報はさらに、第２の情報の周波数ホッピング指示情報、第２の情報のカバレッジ拡張伝送指示情報、物理アップリンク制御チャネルリソースの開始オフセット指示情報、または制御チャネルの周波数ホッピング指示情報のうちの少なくとも１つを含む。
【０１５６】
本発明のいくつかの実施形態において、第１の情報はさらに、第２の情報を送信するためにＵＥによって使用される送信電力制御指示情報、第２の情報を送信するためにＵＥによって使用される変調および符号化方法指示情報、第２の情報を送信するためにＵＥによって使用されるアップリンク遅延指示情報、ＵＥがチャネル状態情報をレポートするか否かを示す指示情報、ＵＥ固有メッセージの伝送のための開始シンボル指示情報、制御チャネルの制御チャネル構成セット識別子指示情報、または、制御チャネルの伝送に使用される伝送タイプの指示情報のうちの少なくとも１つを含む。
【０１５７】
本発明のいくつかの実施形態において、第１の情報はさらに、ダウンリンク制御チャネルのフォーマット指示情報、またはダウンリンクデータチャネルのフォーマット指示情報を含む。
【０１５８】
本発明のいくつかの実施形態において、受信モジュール５０２は具体的に、ダウンリンク制御チャネルを受信し、ダウンリンク制御チャネルから第１の情報を取得するか、または、ダウンリンクデータチャネルを受信し、ダウンリンクデータチャネルから第１の情報を取得するよう構成される。
【０１５９】
本発明のいくつかの実施形態において、図５−ｂを参照すると、ユーザ機器５００はさらに、無線ネットワーク一時識別子にしたがって第１の情報をデスクランブルするよう構成されるデスクランブリングモジュール５０４を備える。ここで、無線ネットワーク一時識別子は、ランダムアクセスプリアンブルにしたがって決定される。
【０１６０】
本発明のいくつかの実施形態において、図５−ｃを参照すると、ユーザ機器５００はさらに、スクランブリング／デスクランブリングモジュール５０５を備える。
【０１６１】
受信モジュール５０２はさらに、ランダムアクセスプリアンブルに対応する第１の情報を受信した後、制御チャネルまたはＵＥ固有情報のうちの少なくとも１つを受信するよう構成される。
【０１６２】
送信モジュールはさらに、ランダムアクセスプリアンブルに対応する第１の情報を受信モジュールが受信した後に、第２の情報を送信するよう構成される。
【０１６３】
スクランブリング／デスクランブリングモジュール５０５は、無線ネットワーク一時識別子にしたがって、第２の情報、制御チャネル、またはＵＥ固有情報のうちの少なくとも１つをスクランブルまたはデスクランブルするよう構成される。ここで、無線ネットワーク一時識別子は、ランダムアクセスプリアンブルにしたがって決定される。
【０１６４】
前述の実施形態における本発明の説明から分かるように、まず、ＵＥはランダムアクセスプリアンブルを送信し、次に、ＵＥは、ランダムアクセスプリアンブルに対応する第１の情報を受信する。第１の情報は、ランダムアクセスプリアンブルに対するランダムアクセス応答に関する情報である。第１の情報は、タイミングアドバンス指示情報、制御チャネルの伝送に使用される狭帯域リソースの指示情報、制御チャネルの伝送に使用されるサブフレームの指示情報、制御チャネルの伝送に使用される復調基準信号スクランブリングシーケンス初期化パラメータの指示情報、制御チャネルの伝送に使用されるカバレッジ拡張レベルの指示情報、または、第２の情報の伝送に使用されるリソース割り当て情報のうちの少なくとも１つを含む。第２の情報は、第１の情報に対する応答に関する情報である。最後に、第１の情報はＵＥに送信される。第１の情報は、ランダムアクセス応答に関する情報であり、第１の情報に含まれる前述の指示情報は、より少ない指示ビットを有する。したがって、第１の情報は、より簡略化された構造を有し、これにより、比較的少ないリソースを使用することによってアクセス応答情報が伝送され得、それによって、ランダムアクセス応答に関する情報の伝送のリソース利用効率を向上させ、ユーザ機器によるチャネル検出の電力消費オーバーヘッドを低減する。
【０１６５】
本発明の一実施形態はさらに、コンピュータ記憶媒体を提供する。ここで、当該コンピュータ記憶媒体はプログラムを格納し、プログラムは、前述の方法の実施形態において記録された段階の一部または全部を実行する。
【０１６６】
本発明の一実施形態によって提供される別の基地局を以下で説明する。図６を参照すると、基地局６００は、入力装置６０１、出力装置６０２、プロセッサ６０３、およびメモリ６０４を備える（基地局６００のプロセッサ６０３の数は１または複数であってよく、図６は、一例として１つのプロセッサを使用する）。本発明のいくつかの実施形態において、入力装置６０１、出力装置６０２、プロセッサ６０３、およびメモリ６０４は、バスを使用することによって、または別の方式で接続されてよい。図６では、一例として、バスを使用することによる接続が使用される。
【０１６７】
プロセッサ６０３は、前述の基地局側で実装される情報伝送方法を実行するよう構成される。プロセッサ６０３は、ユーザ機器ＵＥによって送信されたランダムアクセスプリアンブルを受信する段階と、受信されたランダムアクセスプリアンブルにしたがって第１の情報を生成する段階であって、第１の情報は、ランダムアクセスプリアンブルに対するランダムアクセス応答に関する情報であり、第１の情報は、タイミングアドバンス指示情報、制御チャネルの伝送に使用される狭帯域リソースの指示情報、制御チャネルの伝送に使用されるサブフレームの指示情報、制御チャネルの伝送に使用される復調基準信号スクランブリングシーケンス初期化パラメータの指示情報、制御チャネルの伝送に使用されるカバレッジ拡張レベルの指示情報、または、第１の情報に対する応答に関する情報である第２の情報の伝送に使用されるリソース割り当て情報のうちの少なくとも１つを含む、段階と、第１の情報をＵＥに送信する段階とを実行するよう構成される。
【０１６８】
本発明のいくつかの実施形態において、第１の情報はさらに、一時セル無線ネットワーク一時識別子の指示情報、ランダムアクセスプリアンブルの指示情報、ロールバック指示情報、または制御チャネルの制御チャネル候補セットの指示情報のうちの少なくとも１つを含む。
【０１６９】
本発明のいくつかの実施形態において、第１の情報はさらに、第２の情報の周波数ホッピング指示情報、第２の情報のカバレッジ拡張伝送指示情報、物理アップリンク制御チャネルリソースの開始オフセット指示情報、または制御チャネルの周波数ホッピング指示情報のうちの少なくとも１つを含む。
【０１７０】
本発明のいくつかの実施形態において、第１の情報はさらに、第２の情報を送信するためにＵＥによって使用される送信電力制御指示情報、第２の情報を送信するためにＵＥによって使用される変調および符号化方法指示情報、第２の情報を送信するためにＵＥによって使用されるアップリンク遅延指示情報、ＵＥがチャネル状態情報をレポートするか否かを示す指示情報、ＵＥ固有メッセージの伝送のための開始シンボル指示情報、制御チャネルの制御チャネル構成セット識別子指示情報、または、制御チャネルの伝送に使用される伝送タイプの指示情報のうちの少なくとも１つを含む。
【０１７１】
本発明のいくつかの実施形態において、第１の情報はさらに、ダウンリンク制御チャネルのフォーマット指示情報、またはダウンリンクデータチャネルのフォーマット指示情報を含む。
【０１７２】
本発明のいくつかの実施形態において、プロセッサ６０３は具体的に、第１の情報をダウンリンク制御チャネルに追加し、当該ダウンリンク制御チャネルを使用することによって第１の情報をＵＥに送信する段階、または、第１の情報をダウンリンクデータチャネルに追加し、当該ダウンリンクデータチャネルを使用することによって第１の情報をＵＥに送信する段階を実行するよう構成される。
【０１７３】
本発明のいくつかの実施形態において、プロセッサ６０３はさらに、第１の情報をＵＥに送信する段階の前に、無線ネットワーク一時識別子にしたがって第１の情報をスクランブルする段階であって、無線ネットワーク一時識別子は、ランダムアクセスプリアンブルにしたがって決定される、段階を実行するよう構成される。
【０１７４】
本発明のいくつかの実施形態において、プロセッサ６０３はさらに、第１の情報をＵＥに送信した後に、無線ネットワーク一時識別子にしたがって、第２の情報、制御チャネル、またはＵＥ固有情報のうちの少なくとも１つをスクランブルまたはデスクランブルする段階であって、無線ネットワーク一時識別子は、ランダムアクセスプリアンブルにしたがって決定される、段階を実行するよう構成される。
【０１７５】
前述の実施形態における本発明の説明から分かるように、まず、ＵＥによって送信されたランダムアクセスプリアンブルが受信され、次に、受信されたランダムアクセスプリアンブルにしたがって第１の情報が生成される。第１の情報は、ランダムアクセスプリアンブルに対するランダムアクセス応答に関する情報であり、第１の情報は、タイミングアドバンス指示情報、制御チャネルの伝送に使用される狭帯域リソースの指示情報、制御チャネルの伝送に使用されるサブフレームの指示情報、制御チャネルの伝送に使用される復調基準信号スクランブリングシーケンス初期化パラメータの指示情報、制御チャネルの伝送に使用されるカバレッジ拡張レベルの指示情報、または、第２の情報の伝送に使用されるリソース割り当て情報のうちの少なくとも１つを含む。第２の情報は、第１の情報に対する応答に関する情報である。最後に、第１の情報はＵＥに送信される。第１の情報は、ランダムアクセス応答に関する情報であり、第１の情報に含まれる前述の指示情報は、より少ない指示ビットを有する。したがって、第１の情報は、より簡略化された構造を有し、これにより、比較的少ないリソースを使用することによってアクセス応答情報が伝送され得、それによって、ランダムアクセス応答に関する情報の伝送のリソース利用効率を向上させ、ユーザ機器によるチャネル検出の電力消費オーバーヘッドを低減する。
【０１７６】
本発明の一実施形態によって提供される別のユーザ機器を以下で説明する。図７を参照すると、ユーザ機器７００は、入力装置７０１、出力装置７０２、プロセッサ７０３、およびメモリ７０４を備える（ユーザ機器７００のプロセッサ７０３の数は１または複数であってよく、図７は、一例として１つのプロセッサを使用する）。本発明のいくつかの実施形態において、入力装置７０１、出力装置７０２、プロセッサ７０３、およびメモリ７０４は、バスを使用することによって、または別の方式で接続されてよい。図７では、一例として、バスを使用することによる接続が使用される。
【０１７７】
プロセッサ７０３は、前述のユーザ機器側で実装される情報伝送方法を実行するよう構成される。プロセッサ７０３は、ランダムアクセスプリアンブルを基地局に送信する段階と、ランダムアクセスプリアンブルに対応する第１の情報を受信する段階であって、第１の情報は、ランダムアクセスプリアンブルに対する、基地局のランダムアクセス応答に関する情報である、段階と、第１の情報から、タイミングアドバンス指示情報、制御チャネルの伝送に使用される狭帯域リソースの指示情報、制御チャネルの伝送に使用されるサブフレームの指示情報、制御チャネルの伝送に使用される復調基準信号スクランブリングシーケンス初期化パラメータの指示情報、制御チャネルの伝送に使用されるカバレッジ拡張レベルの指示情報、または、第１の情報に対する応答に関する情報である第２の情報の伝送に使用されるリソース割り当て情報のうちの少なくとも１つを取得する段階とを実行するよう構成される。
【０１７８】
本発明のいくつかの実施形態において、第１の情報はさらに、一時セル無線ネットワーク一時識別子の指示情報、ランダムアクセスプリアンブルの指示情報、ロールバック指示情報、または制御チャネルの制御チャネル候補セットの指示情報のうちの少なくとも１つを含む。
【０１７９】
本発明のいくつかの実施形態において、第１の情報はさらに、第２の情報の周波数ホッピング指示情報、第２の情報のカバレッジ拡張伝送指示情報、物理アップリンク制御チャネルリソースの開始オフセット指示情報、または制御チャネルの周波数ホッピング指示情報のうちの少なくとも１つを含む。
【０１８０】
本発明のいくつかの実施形態において、第１の情報はさらに、第２の情報を送信するためにＵＥによって使用される送信電力制御指示情報、第２の情報を送信するためにＵＥによって使用される変調および符号化方法指示情報、第２の情報を送信するためにＵＥによって使用されるアップリンク遅延指示情報、ＵＥがチャネル状態情報をレポートするか否かを示す指示情報、ＵＥ固有メッセージの伝送のための開始シンボル指示情報、制御チャネルの制御チャネル構成セット識別子指示情報、または、制御チャネルの伝送に使用される伝送タイプの指示情報のうちの少なくとも１つを含む。
【０１８１】
本発明のいくつかの実施形態において、第１の情報はさらに、ダウンリンク制御チャネルのフォーマット指示情報、またはダウンリンクデータチャネルのフォーマット指示情報を含む。
【０１８２】
本発明のいくつかの実施形態において、プロセッサ７０３は具体的に、ダウンリンク制御チャネルを受信し、ダウンリンク制御チャネルから第１の情報を取得する段階、または、ダウンリンクデータチャネルを受信し、ダウンリンクデータチャネルから第１の情報を取得する段階を実行するよう構成される。 
【０１８３】
本発明のいくつかの実施形態において、プロセッサ７０３はさらに、無線ネットワーク一時識別子にしたがって第１の情報をデスクランブルする段階を実行するよう構成される。ここで、無線ネットワーク一時識別子は、ランダムアクセスプリアンブルにしたがって決定される。
【０１８４】
本発明のいくつかの実施形態において、プロセッサ７０３はさらに、ランダムアクセスプリアンブルに対応する第１の情報を受信する段階の後に、第２の情報を送信する段階、制御情報を受信する段階、または、ＵＥ固有情報を受信する段階のうちの少なくとも１つを実行する段階と、無線ネットワーク一時識別子にしたがって、第２の情報、制御チャネル、またはＵＥ固有情報のうちの少なくとも１つをスクランブルまたはデスクランブルする段階であって、無線ネットワーク一時識別子は、ランダムアクセスプリアンブルにしたがって決定される、段階とを実行するよう構成される。
【０１８５】
前述の実施形態における本発明の説明から分かるように、まず、ＵＥはランダムアクセスプリアンブルを送信し、次に、ＵＥは、ランダムアクセスプリアンブルに対応する第１の情報を受信する。第１の情報は、ランダムアクセスプリアンブルに対するランダムアクセス応答に関する情報である。第１の情報は、タイミングアドバンス指示情報、制御チャネルの伝送に使用される狭帯域リソースの指示情報、制御チャネルの伝送に使用されるサブフレームの指示情報、制御チャネルの伝送に使用される復調基準信号スクランブリングシーケンス初期化パラメータの指示情報、制御チャネルの伝送に使用されるカバレッジ拡張レベルの指示情報、または、第２の情報の伝送に使用されるリソース割り当て情報のうちの少なくとも１つを含む。第２の情報は、第１の情報に対する応答に関する情報である。最後に、第１の情報はＵＥに送信される。第１の情報は、ランダムアクセス応答に関する情報であり、第１の情報に含まれる前述の指示情報は、より少ない指示ビットを有する。したがって、第１の情報は、より簡略化された構造を有し、これにより、比較的少ないリソースを使用することによってアクセス応答情報が伝送され得、それによって、ランダムアクセス応答に関する情報の伝送のリソース利用効率を向上させ、ユーザ機器によるチャネル検出の電力消費オーバーヘッドを低減する。
【０１８６】
加えて、説明された装置の実施形態は、例に過ぎないことに留意すべきである。別個の部分として説明されたユニットは、物理的に分かれていても、そうでなくてもよい。また、ユニットとして表示された部分は、物理的ユニットであっても、そうでなくてもよく、一か所に位置付けられてよく、または、複数のネットワークユニットにおいて分散されてよい。実施形態の解決手段の目的を実現すべく、実際の必要性に応じて、いくつかの、または全てのモジュールが選択されてよい。加えて、本発明によって提供された装置の実施形態の添付の図面において、モジュール間の接続関係は、モジュールが互いとの通信接続を有していることを示しており、当該通信接続は、具体的に１または複数の通信バスまたは信号ケーブルとして実装されてよい。当業者であれば、創造的な努力なく、本発明の実施形態を理解し、実装し得る。 
【０１８７】
前述の実装の説明に基づいて、必要な汎用ハードウェアに加えてソフトウェアによって、または、専用集積回路、専用ＣＰＵ、専用メモリ、専用コンポーネント、および同様のものを含む専用ハードウェアによって本発明は実装され得ることを当業者であれば明確に理解し得る。概して、コンピュータプログラムによって実行され得るあらゆる機能が、対応するハードウェアを使用することによって容易に実装され得る。さらに、同じ機能を実現するために使用される具体的なハードウェア構造は、様々な形態、例えば、アナログ回路、デジタル回路、専用回路、または同様のものの形態であってよい。しかしながら、本発明に関しては、ほとんどの場合においてソフトウェアプログラム実装がより良好な実装である。そのような理解に基づいて、本発明の技術的解決手段は本質的に、または従来技術に寄与する部分は、ソフトウェア製品の形態で実装されてよい。ソフトウェア製品は、コンピュータのフロッピー（登録商標）ディスク、ＵＳＢフラッシュドライブ、リムーバブルハードディスク、リードオンリメモリ（ＲＯＭ、Ｒｅａｄ−Ｏｎｌｙ  Ｍｅｍｏｒｙ）、ランダムアクセスメモリ（ＲＡＭ、Ｒａｎｄｏｍ  Ａｃｃｅｓｓ  Ｍｅｍｏｒｙ）、磁気ディスク、または光ディスクなどの可読記憶媒体に格納され、本発明の実施形態において説明された方法を実行するよう（パーソナルコンピュータ、サーバ、ネットワークデバイス、および同様のものであってよい）コンピュータデバイスに命令するためのいくつかの命令を含む。
【０１８８】
前述の実施形態は本発明の技術的解決手段を説明するためのものに過ぎず、本発明を限定するためのものではない。前述の実施形態に関連して本発明が詳細に説明されているが、当業者であればさらに、本発明の実施形態の技術的解決手段の趣旨および範囲から逸脱することなく、前述の実施形態において説明された技術的解決手段に対して変更を施し得、または、それらのいくつかの技術的特徴に対して等価な置き換えを行い得ることを当業者は理解すべきである。
【図１】
2020036343.tif 000006
【図２】
2020036343.tif 000007
【図３】
2020036343.tif 000008
【図４−ａ】
2020036343.tif 000009
【図４−ｂ】
2020036343.tif 000010
【図４−ｃ】
2020036343.tif 000011
【図５−ａ】
2020036343.tif 000012
【図５−ｂ】
2020036343.tif 000013
【図５−ｃ】
2020036343.tif 000014
【図６】
2020036343.tif 000015
【図７】
2020036343.tif 000016
【手続補正書】
【提出日】令和1年10月29日(2019.10.29)
【手続補正１】
【補正対象書類名】特許請求の範囲
【補正対象項目名】全文
【補正方法】変更
【補正の内容】
【特許請求の範囲】
【請求項１】
情報伝送方法であって、
ユーザ機器ＵＥによって送信されたランダムアクセスプリアンブルを受信する段階と、
前記受信されたランダムアクセスプリアンブルにしたがって、第１の情報を生成する段階であって、前記第１の情報は、前記ランダムアクセスプリアンブルに対するランダムアクセス応答に関する情報であり、前記第１の情報は、制御チャネルの伝送に使用される狭帯域リソースの指示情報、および、前記第１の情報に対する応答に関する情報である第２の情報の伝送に使用されるリソース割り当て情報のうちの少なくともいずれかを含み、前記第２の情報の伝送に使用される前記リソース割り当て情報は、前記狭帯域リソースまたは狭帯域内のリソース割り当てを示すように構成される、段階と、
前記第１の情報を前記ＵＥに送信する段階と
を備え、
前記狭帯域は、６つの物理リソースブロック（ＰＲＢ）を含み、前記ＰＲＢのインデックスは個別に、ＰＲＢ  ｎ、ＰＲＢ  ｎ＋１、ＰＲＢ  ｎ＋２、ＰＲＢ  ｎ＋３、ＰＲＢ  ｎ＋４、および、ＰＲＢ  ｎ＋５であり、３ビットが、前記狭帯域内の前記リソース割り当ての指示のために、以下の表に示されるように使用される、
【表１】
2020036343.tif 000017
方法。
【請求項２】
前記第１の情報はさらに、前記第２の情報の周波数ホッピング指示情報、前記第２の情報のカバレッジ拡張伝送指示情報、物理アップリンク制御チャネルリソースの開始オフセット指示情報、または、前記制御チャネルの周波数ホッピング指示情報のうちの少なくとも１つを含む、請求項１に記載の方法。
【請求項３】
前記第１の情報はさらに、前記第２の情報を送信するために前記ＵＥによって使用される送信電力制御指示情報、前記第２の情報を送信するために前記ＵＥによって使用される変調および符号化方法指示情報、前記第２の情報を送信するために前記ＵＥによって使用されるアップリンク遅延指示情報、前記ＵＥがチャネル状態情報をレポートするか否かを示す指示情報、ＵＥ固有メッセージの伝送のための開始シンボル指示情報、前記制御チャネルの制御チャネル構成セット識別子指示情報、または、前記制御チャネルの伝送に使用される伝送タイプの指示情報のうちの少なくとも１つを含む、請求項１または２に記載の方法。
【請求項４】
前記第１の情報はさらに、ダウンリンク制御チャネルのフォーマット指示情報、またはダウンリンクデータチャネルのフォーマット指示情報を含む、請求項１から３のいずれか一項に記載の方法。
【請求項５】
前記第１の情報を前記ＵＥに送信する前記段階は、
前記第１の情報を前記ダウンリンク制御チャネルに追加し、前記ダウンリンク制御チャネルを使用することによって前記第１の情報を前記ＵＥに送信する段階、または、
前記第１の情報を前記ダウンリンクデータチャネルに追加し、前記ダウンリンクデータチャネルを使用することによって前記第１の情報を前記ＵＥに送信する段階
を有する、請求項４に記載の方法。
【請求項６】
前記第１の情報を前記ＵＥに送信する前記段階の前に、
無線ネットワーク一時識別子にしたがって前記第１の情報をスクランブルする段階であって、前記無線ネットワーク一時識別子は、前記ランダムアクセスプリアンブルにしたがって決定される、段階
をさらに備える、請求項１から５のいずれか一項に記載の方法。
【請求項７】
情報伝送方法であって、
ランダムアクセスプリアンブルを基地局に送信する段階と、
前記ランダムアクセスプリアンブルに対応する第１の情報を受信する段階であって、前記第１の情報は、前記ランダムアクセスプリアンブルに対する、前記基地局のランダムアクセス応答に関する情報である、段階と、を備え、
前記第１の情報は、制御チャネルの伝送に使用される狭帯域リソースの指示情報、および、前記第１の情報に対する応答に関する情報である第２の情報の伝送に使用されるリソース割り当て情報のうちの少なくともいずれかを含み、前記第２の情報の伝送に使用される前記リソース割り当て情報は、前記狭帯域リソースまたは狭帯域内のリソース割り当てを示すように構成され、
前記狭帯域は６つの物理リソースブロック（ＰＲＢ）を含み、３ビットが、前記狭帯域内の前記リソース割り当ての指示のために、次の表に示されるように使用される、
【表１】
2020036343.tif 000018
方法。
【請求項８】
前記第１の情報はさらに、前記第２の情報の周波数ホッピング指示情報、前記第２の情報のカバレッジ拡張伝送指示情報、物理アップリンク制御チャネルリソースの開始オフセット指示情報、または、前記制御チャネルの周波数ホッピング指示情報のうちの少なくとも１つを含む、請求項７に記載の方法。
【請求項９】
前記第１の情報はさらに、前記第２の情報を送信するためにＵＥによって使用される送信電力制御指示情報、前記第２の情報を送信するために前記ＵＥによって使用される変調および符号化方法指示情報、前記第２の情報を送信するために前記ＵＥによって使用されるアップリンク遅延指示情報、前記ＵＥがチャネル状態情報をレポートするか否かを示す指示情報、ＵＥ固有メッセージの伝送のための開始シンボル指示情報、前記制御チャネルの制御チャネル構成セット識別子指示情報、または、前記制御チャネルの伝送に使用される伝送タイプの指示情報のうちの少なくとも１つを含む、請求項７または８に記載の方法。
【請求項１０】
前記第１の情報はさらに、ダウンリンク制御チャネルのフォーマット指示情報、またはダウンリンクデータチャネルのフォーマット指示情報を含む、請求項７から９のいずれか一項に記載の方法。
【請求項１１】
前記ランダムアクセスプリアンブルに対応する第１の情報を受信する前記段階は、
前記ダウンリンク制御チャネルを受信し、前記ダウンリンク制御チャネルから前記第１の情報を取得する段階、または、
前記ダウンリンクデータチャネルを受信し、前記ダウンリンクデータチャネルから前記第１の情報を取得する段階
を有する、請求項１０に記載の方法。
【請求項１２】
無線ネットワーク一時識別子にしたがって前記第１の情報をデスクランブルする段階であって、前記無線ネットワーク一時識別子は、前記ランダムアクセスプリアンブルにしたがって決定される、段階
をさらに備える、請求項７から１１のいずれか一項に記載の方法。
【請求項１３】
基地局であって、
ユーザ機器ＵＥによって送信されたランダムアクセスプリアンブルを受信する受信モジュールと、
前記受信されたランダムアクセスプリアンブルにしたがって第１の情報を生成する情報生成モジュールであって、前記第１の情報は、前記ランダムアクセスプリアンブルに対するランダムアクセス応答に関する情報であり、前記第１の情報は、制御チャネルの伝送に使用される狭帯域リソースの指示情報、および、前記第１の情報に対する応答に関する情報である第２の情報の伝送に使用されるリソース割り当て情報のうちの少なくともいずれかを含み、前記第２の情報の伝送に使用される前記リソース割り当て情報は、前記狭帯域リソースまたは狭帯域内のリソース割り当てを示すように構成される、情報生成モジュールと、
前記第１の情報を前記ＵＥに送信する送信モジュールと
を備え、
前記狭帯域は６つの物理リソースブロック（ＰＲＢ）を含み、３ビットが、前記狭帯域内の前記リソース割り当ての指示のために、次の表に示されるように使用される、
【表１】
2020036343.tif 000019
基地局。
【請求項１４】
前記第１の情報はさらに、前記第２の情報の周波数ホッピング指示情報、前記第２の情報のカバレッジ拡張伝送指示情報、物理アップリンク制御チャネルリソースの開始オフセット指示情報、または、前記制御チャネルの周波数ホッピング指示情報のうちの少なくとも１つを含む、請求項１３に記載の基地局。
【請求項１５】
前記第１の情報はさらに、前記第２の情報を送信するために前記ＵＥによって使用される送信電力制御指示情報、前記第２の情報を送信するために前記ＵＥによって使用される変調および符号化方法指示情報、前記第２の情報を送信するために前記ＵＥによって使用されるアップリンク遅延指示情報、前記ＵＥがチャネル状態情報をレポートするか否かを示す指示情報、ＵＥ固有メッセージの伝送のための開始シンボル指示情報、前記制御チャネルの制御チャネル構成セット識別子指示情報、または、前記制御チャネルの伝送に使用される伝送タイプの指示情報のうちの少なくとも１つを含む、請求項１３または１４に記載の基地局。
【請求項１６】
前記第１の情報はさらに、ダウンリンク制御チャネルのフォーマット指示情報、またはダウンリンクデータチャネルのフォーマット指示情報を含む、請求項１３から１５のいずれか一項に記載の基地局。
【請求項１７】
前記送信モジュールは具体的に、前記第１の情報を前記ダウンリンク制御チャネルに追加し、前記ダウンリンク制御チャネルを使用することによって前記第１の情報を前記ＵＥに送信する、または、
前記第１の情報を前記ダウンリンクデータチャネルに追加し、前記ダウンリンクデータチャネルを使用することによって前記第１の情報を前記ＵＥに送信する、請求項１６に記載の基地局。
【請求項１８】
前記基地局はさらに、前記送信モジュールが前記第１の情報を前記ＵＥに送信する前に、無線ネットワーク一時識別子にしたがって前記第１の情報をスクランブルするスクランブリングモジュールであって、前記無線ネットワーク一時識別子は前記ランダムアクセスプリアンブルにしたがって決定される、スクランブリングモジュールを備える、請求項１３から１７のいずれか一項に記載の基地局。
【請求項１９】
ユーザ機器ＵＥであって、
ランダムアクセスプリアンブルを基地局に送信する送信モジュールと、
前記ランダムアクセスプリアンブルに対応する第１の情報を受信する受信モジュールであって、前記第１の情報は、前記ランダムアクセスプリアンブルに対する、前記基地局のランダムアクセス応答に関する情報である、受信モジュールと、を備え、
前記第１の情報は、制御チャネルの伝送に使用される狭帯域リソースの指示情報、および、前記第１の情報に対する応答に関する情報である第２の情報の伝送に使用されるリソース割り当て情報のうちの少なくともいずれかを含み、前記第２の情報の伝送に使用される前記リソース割り当て情報は、前記狭帯域リソースまたは狭帯域内のリソース割り当てを示すように構成され、
前記狭帯域は６つの物理リソースブロック（ＰＲＢ）を含み、３ビットが、前記狭帯域内の前記リソース割り当ての指示のために、次の表に示されるように使用される、
【表１】
2020036343.tif 000020
ユーザ機器。
【請求項２０】
前記第１の情報はさらに、前記第２の情報の周波数ホッピング指示情報、前記第２の情報のカバレッジ拡張伝送指示情報、物理アップリンク制御チャネルリソースの開始オフセット指示情報、または、前記制御チャネルの周波数ホッピング指示情報のうちの少なくとも１つを含む、請求項１９に記載のユーザ機器。
【請求項２１】
前記第１の情報はさらに、前記第２の情報を送信するために前記ＵＥによって使用される送信電力制御指示情報、前記第２の情報を送信するために前記ＵＥによって使用される変調および符号化方法指示情報、前記第２の情報を送信するために前記ＵＥによって使用されるアップリンク遅延指示情報、前記ＵＥがチャネル状態情報をレポートするか否かを示す指示情報、ＵＥ固有メッセージの伝送のための開始シンボル指示情報、前記制御チャネルの制御チャネル構成セット識別子指示情報、または、前記制御チャネルの伝送に使用される伝送タイプの指示情報のうちの少なくとも１つを含む、請求項１９または２０に記載のユーザ機器。
【請求項２２】
前記第１の情報はさらに、ダウンリンク制御チャネルのフォーマット指示情報、またはダウンリンクデータチャネルのフォーマット指示情報を含む、請求項１９から２１のいずれか一項に記載のユーザ機器。
【請求項２３】
前記受信モジュールは具体的に、前記ダウンリンク制御チャネルを受信し、前記ダウンリンク制御チャネルから前記第１の情報を取得する、または、
前記ダウンリンクデータチャネルを受信し、前記ダウンリンクデータチャネルから前記第１の情報を取得する、請求項２２に記載のユーザ機器。
【請求項２４】
前記ユーザ機器はさらに、無線ネットワーク一時識別子にしたがって前記第１の情報をデスクランブルするデスクランブリングモジュールであって、前記無線ネットワーク一時識別子は、前記ランダムアクセスプリアンブルにしたがって決定される、デスクランブリングモジュールを備える、請求項１９から２３のいずれか一項に記載のユーザ機器。
【請求項２５】
コンピュータに請求項１から６のいずれか一項に記載の方法を実行させるためのコンピュータプログラム。
【請求項２６】
コンピュータに請求項７から１２のいずれか一項に記載の方法を実行させるためのコンピュータプログラム。
【外国語明細書】
2020036343000001.pdf